(57)【要約】  帯域幅適応参照信号を提供するためのシステム及び方法が開示される。１つの実施形態では、無線デバイスは、参照シンボルを搬送するダウンリンク信号中のフレーム毎の時間領域ユニットの数が、ダウンリンクキャリアのシステム帯域幅に基づき決定される、又は別の方法でダウンリンクキャリアのシステム帯域幅の関数である場合に、ダウンリンク信号を、対応するダウンリンクキャリア上でセルラー通信ネットワークの基地局から受信する。さらに、いくつかの実施形態では、参照シンボルを搬送する周波数領域ユニットの数はまた、ダウンリンクキャリアのシステム帯域幅の関数である。無線デバイスは、例えば、同期、無線リソース管理測定、チャネル推定などの、１つ又は複数の所望の特性を提供するために、参照シンボルを処理する。【選択図】  図５
2015512577.tif 000002
【特許請求の範囲】
【請求項１】
セルラー通信ネットワーク（１０）における無線デバイス（１４）の動作の方法であって、
参照シンボルを搬送するダウンリンク信号中のフレーム毎の時間領域ユニットの数が、前記ダウンリンクキャリアのシステム帯域幅の関数である基地局（１２）から、前記ダウンリンクキャリア上でダウンリンク信号を受信すること（１０６、２０６、３０６、４０６、５０８、６１０、７０６）、及び
１つ又は複数の所望の特性を提供するために、前記ダウンリンク信号の前記参照シンボルを処理すること（１０８、２０８、３０８、４０８、５１０、６１２、７０８）
を含む、方法。
【請求項２】
参照シンボルを搬送する前記ダウンリンク信号のフレーム毎の時間領域ユニットの前記数は、参照シンボルを搬送するフレーム毎のサブフレームの数である、請求項１に記載の方法。
【請求項３】
参照シンボルを搬送する前記ダウンリンク信号中のフレーム毎の時間領域ユニットの前記数は、参照シンボルを搬送するフレーム毎のシンボル期間の数である、請求項１に記載の方法。
【請求項４】
参照シンボルを搬送する前記ダウンリンク信号中のフレーム毎の時間領域ユニットの前記数は、前記ダウンリンク信号が、フレーム毎の参照シンボルの少なくとも所定の最小数を含むように、前記システム帯域幅及びフレーム毎の参照シンボルの所定の最小数の関数である、請求項１に記載の方法。
【請求項５】
前記ダウンリンク信号は、前記ダウンリンクキャリアの前記システム帯域幅全体にわたり参照シンボルを含む、請求項１に記載の方法。
【請求項６】
前記ダウンリンク信号は、前記ダウンリンク信号の時間次元における複数のサブフレーム、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、
参照シンボルを搬送する前記ダウンリンク信号中のフレーム毎の時間領域ユニットの前記数は、参照シンボルを搬送するフレーム毎のサブフレーム数であり、並びに
前記ダウンリンク信号は、参照シンボルを搬送する前記周波数次元におけるリソースブロックの数がまた、前記システム帯域幅の関数となるものである、請求項１に記載の方法。
【請求項７】
前記ダウンリンク信号は、前記ダウンリンク信号の時間次元における複数のシンボル期間、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、
参照シンボルを搬送する前記ダウンリンク信号中のフレーム毎の時間領域ユニットの前記数は、参照シンボルを搬送するフレーム毎のシンボル期間の数であり、並びに
前記ダウンリンク信号は、参照シンボルを搬送する前記周波数次元におけるリソースブロックの数がまた、前記システム帯域幅の関数となるものである、請求項１に記載の方法。
【請求項８】
参照シンボルを搬送する周波数領域ユニットの数はまた、前記ダウンリンクキャリアの前記システム帯域幅の関数である、請求項１に記載の方法。
【請求項９】
前記ダウンリンク信号は、前記ダウンリンク信号の時間次元における複数のサブフレーム、及び前記ダウンリンクシグナルの周波数次元における複数のリソースブロックを備えるフレームを備え、ここで、前記ダウンリンク信号の前記周波数次元における前記複数のリソースブロックは、前記ダウンリンクキャリアの前記システム帯域幅を定義し、並びに
参照シンボルを搬送する前記ダウンリンク信号中のフレーム毎の時間領域ユニットの前記数は、ＲＭＩＮが、参照シンボルを搬送するために必要とされる半フレーム毎のリソースブロックペアの所定の最小数であり、ＮＲＢが、リソースブロックの数として表される前記ダウンリンクキャリアの前記システム帯域幅である場合に、２倍のｃｅｉｌ（ＲＭＩＮ／ＮＲＢ）と定義される参照シンボルを搬送する前記ダウンリンク信号中のフレーム毎のサブフレームの数である、請求項１に記載の方法。
【請求項１０】
参照シンボルを搬送する前記周波数次元におけるリソースブロックの数はまた、前記ダウンリンクキャリアの前記システム帯域幅の関数であり、ｍｉｎ（ＮＲＢ、ＲＭＩＮ）と定義される、請求項９に記載の方法。
【請求項１１】
参照シンボルを搬送する前記周波数次元におけるリソースブロックの数は、前記ダウンリンクキャリアの前記システム帯域幅のリソースブロックの数に等しい、請求項９に記載の方法。
【請求項１２】
参照シンボルを搬送する前記周波数次元におけるリソースブロックの数はまた、前記ダウンリンクキャリアの前記システム帯域幅の関数であり、ＣＳＦが、参照シンボルを搬送する前記ダウンリンク信号中のフレーム毎のサブフレームの数の半分である場合に、ｃｅｉｌ（ＲＭＩＮ／ＣＳＦ）と定義される、請求項９に記載の方法。
【請求項１３】
前記ダウンリンク信号は、前記ダウンリンク信号の時間次元における複数のサブフレーム、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、各リソースブロックは、複数の送信ポートのための参照シンボル位置を含み、
参照シンボルを搬送する前記ダウンリンク信号中のフレーム毎の時間領域ユニットの前記数は、参照シンボルを搬送する前記ダウンリンク信号におけるフレーム毎のサブフレームの数が、前記ダウンリンクキャリアの前記システム帯域幅の関数である場合に、参照シンボルを搬送する前記ダウンリンク信号中のフレーム毎のサブフレームの数であり、並びに
参照シンボルを搬送する前記複数の送信ポートの数はまた、前記ダウンリンクキャリアの前記システム帯域幅の関数である、請求項１に記載の方法。
【請求項１４】
前記複数の送信ポートのうちの同数が、参照シンボルを搬送するフレーム毎のサブフレームの前記数のうちの各々で参照シンボルを搬送する、請求項１３に記載の方法。
【請求項１５】
参照シンボルを搬送する前記複数の送信ポートの数は、ＲＭＩＮが、参照シンボルを搬送することになっている半フレーム毎のリソースブロックペアの所定の最小数であり、ＮＲＢが、リソースブロックの数として表される前記ダウンリンクキャリアの前記システム帯域幅である場合に、ｍｉｎ（２，ｃｅｉｌ（ＲＭＩＮ／ＮＲＢ））と定義される、請求項１４に記載の方法。
【請求項１６】
参照シンボルを搬送する前記ダウンリンク信号中のフレーム毎のサブフレームの前記数は、ＣＰＯＲＴＳが、参照シンボルを搬送する前記複数の送信ポートの前記数である場合に、２倍のｃｅｉｌ（ＲＭＩＮ／（ＮＲＢｘＣＰＯＲＴＳ））と定義される、請求項１５に記載の方法。
【請求項１７】
参照シンボルを搬送する前記周波数次元におけるリソースブロックの数はまた、前記ダウンリンクキャリアの前記システム帯域幅の関数であり、及び
ＮＲＢが、リソースブロックの数として表される前記ダウンリンクキャリアの前記システム帯域幅であり、ＲＭＩＮが、参照シンボルを搬送することになっている半フレーム毎のリソースブロックペアの所定の最小数であり、かつＣＰＯＲＴＳが、参照シンボルを搬送する前記複数の送信ポートの数である場合に、
2015512577.tif 000020
と定義される、請求項１６に記載の方法。
【請求項１８】
参照シンボルを搬送するフレーム毎のサブフレームの前記数のうちの１つの中の参照シンボルを搬送する前記複数の送信ポートの前記数は、参照シンボルを搬送するフレーム毎のサブフレームの前記数のうちの異なる１つの中の参照シンボルを搬送する前記複数の送信ポートの前記数とは異なる、請求項１３に記載の方法。
【請求項１９】
参照シンボルを搬送する前記複数の送信ポートの前記数は、ＲＭＩＮが、参照シンボルを搬送することになっている半フレーム毎のリソースブロックペアの所定の最小数であり、ＮＲＢが、リソースブロックの数として表される前記ダウンリンクキャリアの前記システム帯域幅である場合に、ｍｉｎ（２，ｃｅｉｌ（ＲＭＩＮ／ＮＲＢ））と定義される、請求項１８に記載の方法。
【請求項２０】
前記複数の送信ポートのうちの第１の送信ポートの参照シンボルを搬送する前記ダウンリンク信号のフレーム毎のサブフレームの前記数は、ＣＰＯＲＴＳが、参照シンボルを搬送する前記複数の送信ポートの前記数である場合に、２倍のｃｅｉｌ（ＲＭＩＮ／（ＮＲＢｘＣＰＯＲＴＳ））と定義され、及び
前記複数の送信ポートの第２の送信ポートの参照シンボルを搬送する前記ダウンリンク信号中のフレーム毎のサブフレームの前記数は、２倍のｆｌｏｏｒ（ＲＭＩＮ／（ＮＲＢ  ｘ  ＣＰＯＲＴＳ））と定義される、請求項１９に記載の方法。
【請求項２１】
参照シンボルを搬送する前記周波数次元におけるリソースブロックの数はまた、前記ダウンリンクキャリアの前記システム帯域幅の関数であり、
ＮＲＢが、リソースブロックの数として表される前記ダウンリンクキャリアの前記システム帯域幅である場合に、
ＣＲＢ  ＝  ＮＲＢ
と定義される、請求項２０に記載の方法。
【請求項２２】
前記ダウンリンク信号は、前記ダウンリンク信号の時間次元における複数のシンボル期間、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、並びに
参照シンボルを搬送する前記ダウンリンク信号中のフレーム毎の時間領域ユニットの前記数は、ＲＭＩＮ＿ＳＹＭが、参照シンボルを搬送するために必要とされる半フレーム毎の１シンボル期間ユニットによる１リソースブロックの所定の最小数であり、ＮＲＢが、リソースブロックの数として表される前記ダウンリンクキャリアの前記システム帯域幅である場合に、２倍のｃｅｉｌ（ＲＭＩＮ＿ＳＹＭ／ＮＲＢ）と定義される参照シンボルを搬送する前記ダウンリンク信号中のフレーム毎のシンボル期間の数である、請求項１に記載の方法。
【請求項２３】
参照シンボルを搬送する前記周波数次元におけるリソースブロックの数はまた、前記ダウンリンクキャリアの前記システム帯域幅の関数であり、ＣＳＹＭが、参照信号を搬送する前記ダウンリンク信号中の半フレーム毎の時間領域ユニットの前記数である場合に、ｃｅｉｌ（ＲＭＩＮ＿ＳＹＭ／ＣＳＹＭ）と定義される、請求項２２に記載の方法。
【請求項２４】
前記ダウンリンクキャリアの前記システム帯域幅を決定すること、及び
参照シンボルを搬送する前記ダウンリンク信号中のフレーム毎の時間領域ユニットの数を、前記システム帯域幅の関数として決定すること、
をさらに含む、請求項１に記載の方法。
【請求項２５】
前記システム帯域幅を決定することは、前記システム帯域幅のインジケータを、前記セルラー通信ネットワークにおける前記基地局からシグナリングを介して受信することを含む、請求項２４に記載の方法。
【請求項２６】
前記システム帯域幅を決定することは、
参照シンボルを搬送する前記ダウンリンク信号中のフレーム毎の時間ユニットの数を検出すること、及び
前記システム帯域幅を、参照シンボルを搬送する前記ダウンリンク信号中のフレーム毎の時間ユニットの数に基づき決定すること
を含む、請求項２４に記載の方法。
【請求項２７】
前記時間ユニットは、サブフレームである、請求項２６に記載の方法。
【請求項２８】
前記時間ユニットは、シンボル期間である、請求項２６に記載の方法。
【請求項２９】
前記システム帯域幅を決定することは、
サブフレームＮ＋Ｄが参照シンボルを搬送するよう知らされている場合に、サブフレームＮのプライマリ同期信号を検出すること、
参照シンボルが、サブフレームＮ＋Ｄ＋１で搬送されるかどうかを決定すること、
参照シンボルが前記サブフレームＮ＋Ｄ＋１で搬送されないと決定することに応答して、前記システム帯域幅が、第１の所定値であると決定すること、
参照シンボルが前記サブフレームＮ＋Ｄ＋１で搬送されると決定することに応答して、
参照シンボルが、サブフレームＮ＋Ｄ＋２で搬送されるかどうかを決定すること、及び
参照シンボルがサブフレームＮ＋Ｄ＋２で搬送されないと決定することに応答して、前記システム帯域幅が、前記第１の所定値未満である第２の所定値であると決定すること
を含む、請求項２４に記載の方法。
【請求項３０】
参照シンボルが前記サブフレームＮ＋Ｄ＋２で搬送されると決定することに応答して、前記システム帯域幅が、前記第１及び第２の所定値未満である第３の所定値であると決定することをさらに含む、請求項２９に記載の方法。
【請求項３１】
参照シンボルを搬送する時間領域ユニット毎の周波数領域ユニットの数を、前記システム帯域幅の関数として決定することをさらに含む、請求項２４に記載の方法。
【請求項３２】
セルラー通信ネットワーク（１０）における動作のための無線デバイス（１４）であって、
参照シンボルを搬送する前記ダウンリンク信号中のフレーム毎の時間領域ユニットの数が、前記ダウンリンクキャリアのシステム帯域幅の関数である基地局（１２）から、ダウンリンクキャリア上でダウンリンク信号を受信するように構成されたトランシーバーサブシステム（５６）、及び
１つ又は複数の所望の特性を提供するために、前記ダウンリンク信号の前記参照シンボルを処理するように構成された制御サブシステム（５８）
を備える、無線デバイス（１４）。
【請求項３３】
セルラー通信ネットワーク（１０）における基地局（１２）の動作の方法であって、
参照シンボルを搬送する前記ダウンリンク信号中のフレーム毎の時間領域ユニットの数が、前記ダウンリンクキャリアのシステム帯域幅の関数であるダウンリンクキャリア上でダウンリンク信号を送信すること（１００６）を含む、方法。
【請求項３４】
前記ダウンリンクキャリアの前記システム帯域幅を決定すること（１０００）をさらに含む、請求項３３に記載の方法。
【請求項３５】
セルラー通信ネットワーク（１０）における基地局（１２）であって、
制御サブシステム（５４）、及び
前記制御サブシステム（５４）に関連付けられ、参照シンボルを搬送する前記ダウンリンク信号中のフレーム毎の時間領域ユニットの数が、前記ダウンリンクキャリアのシステム帯域幅の関数であるダウンリンクキャリア上でダウンリンク信号を送信するように構成された、トランシーバーサブシステム（５２）
を備える、基地局（１２）。
【請求項３６】
前記制御サブシステム（５４）は、前記ダウンリンクキャリアの前記システム帯域幅を決定するように構成される、請求項３５に記載の基地局。
【発明の詳細な説明】
【技術分野】
【０００１】
関連出願
この出願は、全体を参照することによりその開示が本明細書に組み込まれる、２０１２年３月２３日出願の仮特許出願整理番号６１／６１４，８５６の利益を主張する。
【０００２】
本開示は、セルラー通信ネットワークに関するものであり、より具体的には、帯域幅適応参照信号を搬送するダウンリンク信号の受信に関するものである。
【背景技術】
【０００３】
第３世代パートナーシッププロジェクト（３ＧＰＰ）ロングタームエボリューション（ＬＴＥ）技術は、拡張ノードＢ（ｅＮＢ）と呼ばれる基地局から、ユーザ機器（ＵＥ）と呼ばれる移動局への送信が、直交周波数分割多重（ＯＦＤＭ）を使用して実行されるモバイルブロードバンド無線技術である。ＯＦＤＭは、周波数における複数の並列サブキャリアに送信される信号を分割する。ＬＴＥにおける送信の基本ユニットは、図１に示すように、その最も一般的な構成では、１２のサブキャリア及び７つのＯＦＤＭシンボルで構成されているリソースブロック（ＲＢ）である。１つのサブキャリア周波数及び１つのＯＦＤＭシンボルのユニットは、図１にも示されるリソースエレメント（ＲＥ）と呼ばれる。ゆえに、ＲＢは、８４のＲＥから構成される。図２に示すように、時間領域において、ＬＴＥダウンリンク送信は、各々が１ミリ秒（ｍｓ）の１０の等しいサイズのサブフレームで構成される、１０ｍｓの無線フレームに編成される。さらに、通常のダウンリンクサブフレームについて、各サブフレームは、各スロットが７ＯＦＤＭシンボル期間からなる、０．５ｍｓの２つの等しい大きさのスロットで構成される。
【０００４】
ＬＴＥサブフレームは、時間領域に２つのスロット、及び周波数領域に多くのリソースブロックペア（ＲＢペア）を含む。ＲＢペアは、時間的に隣接するサブフレームの２つのＲＢである。周波数領域のＲＢペアの数は、ダウンリンクキャリアのシステム帯域幅を決定する。現在、ＬＴＥによってサポートされるシステム帯域幅は、１．４、３、５、１０、１５、２０メガヘルツ（ＭＨｚ）の帯域幅に対して、それぞれ、６、１５、２５、５０、７５、１００の  ＲＢペアの使用に対応する。
【０００５】
ダウンリンクサブフレームのｅＮＢによって送信される信号は、複数のアンテナから送信することができ、信号は、複数のアンテナを有するＵＥで受信することができる。無線チャネルは、複数のアンテナポートから送信される信号を歪ませる。ダウンリンクキャリア上で任意の送信を復調するために、ＵＥは、ダウンリンクキャリア上で送信される信号に含まれる参照シンボル（ＲＳ）に次第で決まる。時間−周波数領域におけるこれらのＲＳ及びそれらの位置は、ＵＥに知らされるので、これらのシンボル上の無線チャネルの影響を測定することにより、チャネル推定値を決定するために使用することができる。
【０００６】
ＲＳは、時間及び周波数同期を実行するためにも使用される。時間及び周波数同期を容易にするためにＬＴＥに存在するＲＳは、２種類ある、すなわち、プライマリ同期シーケンス及びセカンダリ同期シーケンス（ＰＳＳ／ＳＳＳ）、並びに共通参照シンボル（ＣＲＳ）である。プライマリ同期シーケンス及びセカンダリ同期シーケンスは、フレーム構造１についてのサブフレーム５つごとの第６及び第７のＯＦＤＭシンボル期間中に発生し、システム及びセルＩＤへの初期の時間及び周波数同期のために使用される。したがって、ＵＥがコールドスタートから起動すると、ＵＥは、まずプライマリ同期シーケンス及びセカンダリ同期シーケンスを走査する。粗同期がいったん達成されると、ＣＲＳは、時間及び周波数の誤差をさらに低減するために微同期のために使用される。ＣＲＳはまた、無線リソース管理（ＲＲＭ）測定と呼ばれる、移動度測定のためにも使用される。
【０００７】
図３は、ＬＴＥのサブフレームの１つのＲＢペア対を示す。図示されたように、ＲＢペアは、各ＲＢの第６及び第７のＯＦＤＭシンボル期間におけるＰＳＳ／ＳＳＳの位置を含む。また、ＲＢペアは、２つのアンテナポート、すなわち、ポート０及びポート１のＣＲＳの位置を含む。ポート０について、ＣＲＳの位置は、各ＲＢの第１のＯＦＤＭシンボル期間及び最後から３番目のＯＦＤＭシンボル期間内に、６つのサブキャリアの周波数領域間隔で存在する。さらに、各ＲＢの最後から３番目のＯＦＤＭシンボル内にＣＲＳのための３つのサブキャリアの周波数領域スタガリングが存在する。各ＲＢペアの間に、ゆえに、ポート０のための８つのＣＲＳが存在する。同様に、図示されたように配置されたＲＢペアのポート１のための８つのＣＲＳが存在する。
【０００８】
ＬＴＥリリース１０とＬＴＥの前のリリースでは、単一のアンテナポートのためのＣＲＳが常に存在し、それらは、任意のデータがサブフレームのＵＥに送られているかどうかが全てのＲＢ及びサブフレーム上で示されるように広がっている。これは非常に優れた時間及び周波数推定性能を保証するが、結果としてオーバーヘッドが大きくなる。さらに、ＣＲＳは、セルで搬送されているデータロードから独立しているシステムで干渉を作り出す。つまり、「空の」サブフレーム又はＲＢでさえ、干渉を生成する。この干渉は、特に、すべてのｅＮＢが同一の電力で送信されない異種ネットワーク環境において、システム全体の処理量を低下させる。例えば、高電力でＣＲＳを送信するマクロｅＮＢは、低電力で送信するピコｅＮＢからのデータ送信を受信するＵＥに大きな影響を与える干渉を作り出す可能性がある。ＣＲＳでの別の欠点は、ＣＲＳが、セルで搬送されているデータロードに関わらず、すべてのサブフレームのすべてのＲＢで常に送信されるので、ｅＮＢのエネルギー消費が比較的高いということである。これは、無駄なエネルギー消費をもたらす。ゆえに、ＣＲＳ送信に起因するオーバーヘッド及び干渉を減らすシステム及び方法が必要とされる。
【発明の概要】
【課題を解決するための手段】
【０００９】
帯域幅適応参照信号を提供するためのシステム及び方法が開示される。１つの実施形態では、無線デバイスは、セルラー通信ネットワークの基地局から、ダウンリンク信号を受信するが、ここでは、参照シンボルを搬送する前記ダウンリンク信号におけるフレーム毎の時間領域ユニットの数は、前記ダウンリンクキャリアのシステム帯域幅に基づき決定される、又は別の方法で前記ダウンリンクキャリアのシステム帯域幅の関数とされる。また、いくつかの実施形態では、参照シンボルを搬送する周波数領域ユニットの数はまた、前記ダウンリンクキャリアの前記システム帯域幅の関数である。前記無線デバイスは、例えば、同期、無線リソース管理測定、チャネル推定などの、１つ又は複数の所望の特性を提供するために、前記参照シンボルを処理する。好ましくは、参照シンボルを搬送するフレーム毎の時間領域ユニットの数、及び、いくつかの実施形態では、参照シンボルを搬送する周波数領域ユニットの数は、フレーム毎の参照シンボルの数が、参照シンボルの所定の最小数以上であるようなものである。
【００１０】
１つの実施形態では、セルラー通信ネットワークは、ロングタームエボリューション（ＬＴＥ）ネットワークである。無線デバイスは、フレーム毎の共通参照シンボル（ＣＲＳ）を搬送するサブフレームの数が、前記ダウンリンクキャリアのシステム帯域幅に基づき決定される、又は別の方法で前記ダウンリンクキャリアのシステム帯域幅の関数である、ＬＴＥネットワークの基地局から、ダウンリンク信号を受信する。また、いくつかの実施形態では、ＣＲＳを搬送する前記周波数次元におけるリソースブロックの数は、前記ダウンリンクキャリアの前記システム帯域幅に基づき決定される、又は別の方法で前記ダウンリンクキャリアの前記システム帯域幅の関数である。前記無線デバイスは、例えば、同期、無線リソース管理測定、チャネル推定などの、１つ又は複数の特性を提供するために、前記ダウンリンク信号の前記ＣＲＳを処理する。好ましくは、ＣＲＳを搬送するフレーム毎のサブフレームの数、及び、いくつかの実施形態では、ＣＲＳを搬送する前記周波数次元におけるリソースブロックの数は、ＣＲＳの所定の最小数以上であるようなものである。
【００１１】
別の実施形態では、セルラー通信ネットワークは、ＬＴＥネットワークである。無線デバイスは、フレーム毎のＣＲＳを搬送する直交周波数分割多重（ＯＦＤＭ）シンボル期間の数が、前記ダウンリンクキャリアのシステム帯域幅に基づき決定される、又は別の方法で前記ダウンリンクキャリアのシステム帯域幅の関数である、ＬＴＥネットワークの基地局から、ダウンリンク信号を受信する。また、いくつかの実施形態では、ＣＲＳを搬送する前記周波数次元におけるリソースブロックの数は、前記ダウンリンクキャリアの前記システム帯域幅に基づき決定される、又は別の方法で前記ダウンリンクキャリアの前記システム帯域幅の関数である。前記無線デバイスは、例えば、同期、無線リソース管理測定、チャネル推定などの、１つ又は複数の特性を提供するために、前記ダウンリンク信号の前記ＣＲＳを処理する。好ましくは、ＣＲＳを搬送するフレーム毎のＯＦＤＭシンボル期間の数、及び、いくつかの実施形態では、ＣＲＳを搬送する前記周波数次元におけるリソースブロックの数は、フレーム毎のＣＲＳの数が、ＣＲＳの所定の最小数以上であるものとする。
【００１２】
別の実施形態では、無線デバイスは、セルラー通信ネットワークの基地局から受信されるダウンリンク信号のためのダウンリンクキャリアのシステム帯域幅を決定する。無線デバイスは、前記ダウンリンクキャリアの前記システム帯域幅に基づき、参照シンボルを搬送する前記ダウンリンク信号のフレーム毎の時間領域ユニットの数を決定する。また、いくつかの実施形態では、無線デバイスは、前記ダウンリンクキャリアの前記システム帯域幅に基づき、参照シンボルを搬送する周波数領域ユニットの数を決定する。前記無線デバイスは、ダウンリンク信号を受信し、例えば、同期、無線リソース管理測定、チャネル推定などの、１つ又は複数の所望の特性を提供するために、前記ダウンリンク信号で搬送される前記参照シンボルを処理する。好ましくは、参照シンボルを搬送するフレーム毎の時間領域ユニットの数、及び、いくつかの実施形態では、参照シンボルを搬送する周波数領域ユニットの数は、フレーム毎の参照シンボルの数が、参照シンボルの所定の最小数以上であるようなものである。先ほど述べられたように、１つの実施形態では、前記セルラー通信ネットワークは、フレーム毎の時間領域ユニットの数が、フレーム毎のサブフレームの数であり、周波数領域ユニットの数が、前記周波数次元におけるリソースブロックの数である、ＬＴＥネットワークである。別の実施形態では、前記セルラー通信ネットワークは、時間領域ユニットの数が、ＯＦＤＭシンボル期間の数であり、周波数領域ユニットの数が、前記周波数次元におけるリソースブロックの数である、ＬＴＥネットワークである。
【００１３】
別の実施形態では、セルラー通信ネットワークの無線デバイスは、参照シンボルを搬送するフレーム毎のサブフレームの数に基づき、基地局から無線デバイスまでダウンリンクキャリアのシステム帯域幅を決定する。
【００１４】
別の実施形態では、セルラー通信ネットワークの基地局は、参照シンボルを搬送する前記ダウンリンク信号中のフレーム毎の時間領域ユニットの数が、前記ダウンリンクキャリアのシステム帯域幅に基づき決定される、又は別の方法で前記ダウンリンクキャリアのシステム帯域幅の関数である、ダウンリンク信号を送信する。また、いくつかの実施形態では、前記基地局は、参照シンボルを搬送する周波数領域ユニットの数が、前記ダウンリンクキャリアの前記システム帯域幅に基づき決定される、又は別の方法で前記ダウンリンクキャリアの前記システム帯域幅の関数であるように、前記ダウンリンク信号を送信する。好ましくは、参照シンボルを搬送するフレーム毎の時間領域ユニットの数、及び、いくつかの実施形態では、参照シンボルを搬送する周波数領域ユニットの数は、フレーム毎の参照シンボルの数が、参照シンボルの所定の最小数以上であるようなものである。先ほど述べられたように、１つの実施形態では、前記セルラー通信ネットワークは、フレーム毎の時間領域ユニットの数が、フレーム毎のサブフレームの数であり、周波数領域ユニットの数が、前記周波数次元におけるリソースブロックの数である、ＬＴＥネットワークである。別の実施形態では、前記セルラー通信ネットワークは、時間領域ユニットの数が、ＯＦＤＭシンボル期間の数であり、周波数領域ユニットの数が、前記周波数次元におけるリソースブロックの数である、ＬＴＥネットワークである。
【００１５】
別の実施形態では、セルラー通信ネットワークの基地局は、前記基地局から受信されるダウンリンク信号のダウンリンクキャリアのシステム帯域幅を決定する。前記基地局は、前記ダウンリンクキャリアの前記システム帯域幅に基づき、参照シンボルを搬送することになっている前記ダウンリンク信号のフレーム毎の時間領域ユニットの数を決定する。また、いくつかの実施形態では、前記基地局は、前記ダウンリンクキャリアの前記システム帯域幅に基づき、参照シンボルを搬送することになっている周波数領域ユニットの数を決定する。前記基地局は、参照シンボルを搬送するフレーム毎の時間領域ユニットの前記決定された数、及びいくつかの実施形態では、参照シンボルを搬送する周波数領域ユニットの前記決定された数を含むダウンリンク信号を送信する。好ましくは、参照シンボルを搬送するフレーム毎の時間領域ユニットの数、及び、いくつかの実施形態では、参照シンボルを搬送する周波数領域ユニットの数は、フレーム毎の参照シンボルの数が、参照シンボルの所定の最小数以上であるようなものである。先ほど述べられたように、１つの実施形態では、前記セルラー通信ネットワークは、フレーム毎の時間領域ユニットの数が、フレーム毎のサブフレームの数であり、周波数領域ユニットの数が、前記周波数次元におけるリソースブロックの数である、ＬＴＥネットワークである。別の実施形態では、前記セルラー通信ネットワークは、時間領域ユニットの数が、ＯＦＤＭシンボル期間の数であり、周波数領域ユニットの数が、前記周波数次元におけるリソースブロックの数である、ＬＴＥネットワークである。
【００１６】
当業者は、添付の図面に関連した好ましい実施形態の以下の詳細な説明を読めば、本開示の範囲を認識し、追加の態様を理解するであろう。
【００１７】
本明細書の一部に組み込まれその一部を形成する添付の図面は、本発明のいくつかの態様を例示し、明細書の記述とともに本発明の原理を説明するのに役立つ。
【図面の簡単な説明】
【００１８】
【図１】従来のロングタームエボリューション（ＬＴＥ）ダウンリンクキャリアのリソースブロックを示す。
【図２】従来のＬＴＥダウンリンクキャリアのフレーム構造を示す。
【図３】従来のＬＴＥサブフレームを示す。
【図４】本開示の１つの実施形態による、帯域幅適応参照信号を搬送するダウンリンク信号を提供する、セルラー通信ネットワークを示す。
【図５】本開示の１つの実施形態による、帯域幅適応参照信号を搬送するダウンリンク信号を受信し処理するための、図４の無線デバイスの動作を示すフローチャートである。
【図６】本開示の１つの具体的な実施形態による、帯域幅適応参照信号を搬送するダウンリンク信号を受信し処理するための、図４の無線デバイスの動作を示すフローチャートである。
【図７】図６の実施形態による、帯域幅適応参照信号を搬送するダウンリンク信号のフレームの１つの例を示す。
【図８】図６の実施形態による、帯域幅適応参照信号を搬送するダウンリンク信号のフレームの１つの例を示す。
【図９】本開示の別の具体的な実施形態による、帯域幅適応参照信号を搬送するダウンリンク信号を受信し処理するための、図４の無線デバイスの動作を示すフローチャートである。
【図１０】図９の実施形態による、帯域幅適応参照信号を搬送するダウンリンク信号のフレームの例を示す。
【図１１】本開示の別の具体的な実施形態による、帯域幅適応参照信号を搬送するダウンリンク信号を受信し処理するための、図４の無線デバイスの動作を示すフローチャートである。
【図１２】図１１の実施形態による、帯域幅適応参照信号を搬送するダウンリンク信号のフレームの例を示す。
【図１３】本開示の別の具体的な実施形態による、帯域幅適応参照信号を搬送するダウンリンク信号を受信し処理するための、図４の無線デバイスの動作を示すフローチャートである。
【図１４】図１３の実施形態による、帯域幅適応参照信号を搬送するダウンリンク信号のフレームの例を示す。
【図１５】図１３の実施形態による、帯域幅適応参照信号を搬送するダウンリンク信号のフレームの例を示す。
【図１６】本開示の別の具体的な実施形態による、帯域幅適応参照信号を搬送するダウンリンク信号を受信し処理するための、図４の無線デバイスの動作を示すフローチャートである。
【図１７】図１６の実施形態による、帯域幅適応参照信号を搬送するダウンリンク信号のフレームの例を示す。
【図１８】本開示の別の具体的な実施形態による、帯域幅適応参照信号を搬送するダウンリンク信号を受信し処理するための、図４の無線デバイスの動作を示すフローチャートである。
【図１９】図１８の実施形態による、帯域幅適応参照信号を搬送するダウンリンク信号のフレームの例を示す。
【図２０】本開示の１つの実施例による、無線デバイスが、ダウンリンク信号のシステム帯域幅を決定することができるプロセスを示すフローチャートである。
【図２１】本開示の別の実施例による、無線デバイスが、ダウンリンク信号のシステム帯域幅を決定することができるプロセスを示すフローチャートである。
【図２２】本開示の１つの実施形態による、帯域幅適応参照信号を搬送するダウンリンク信号を生成し送信するための、図４の基地局の動作を示すフローチャートである。
【図２３】本開示の１つの実施形態による、図４の基地局のブロック図である。
【図２４】本開示の１つの実施形態による、図４の無線デバイスのブロック図である。
【発明を実施するための形態】
【００１９】
以下に記載する実施形態は、当業者が実施形態を実施可能にするために必要な情報、及び実施形態を実施するベストモードを示す。添付の図面に照らして以下の説明を読めば、当業者は、本開示の概念を理解し、特に、本明細書に扱われていないこれらの概念の応用を認識するであろう。これらの概念及び応用は、本開示の範囲及び添付の特許請求の範囲内にあると理解されるべきである。
【００２０】
帯域幅適応参照信号を提供するためのシステム及び方法が開示される。この点に関して、図４は、本開示の１つの実施形態による、帯域幅適応参照信号を提供するセルラー通信ネットワーク１０を示す。図示されたように、セルラー通信ネットワーク１０は、基地局１２、及び基地局１２によってサービスが提供される無線デバイス１４を含む。本明細書に記載される好ましい実施形態では、セルラー通信ネットワーク１０は、第３世代パートナーシッププロジェクト（３ＧＰＰ）ロングタームエボリューション（ＬＴＥ）ネットワークであり、基地局１２は、拡張ノードＢ（ｅＮＢ）又は低電力ｅＮＢ（例えば、ピコｅＮＢ）である。しかしながら、ここで留意すべきは、本明細書に開示される概念は、ＬＴＥネットワークに限定されないということである。
【００２１】
以下で詳細に説明するように、基地局１２は、ダウンリンク信号が、帯域幅適応参照信号を搬送する、又はそれを含む、ダウンリンクキャリア上にダウンリンク信号を提供する。一般に、参照シンボルを搬送するダウンリンク信号のフレーム毎の時間領域ユニット（例えば、サブフレーム）の数は、ダウンリンクキャリアのシステム帯域幅の関数である。また、参照シンボルを搬送するダウンリンク信号の周波数次元における周波数領域ユニットの数は、ダウンリンクキャリアのシステム帯域幅の関数であってもよい。参照シンボルを搬送するダウンリンク信号のフレーム毎の時間領域ユニットの数、及びいくつかの実施形態では、参照シンボルを搬送する周波数次元における周波数領域ユニットの数は、ダウンリンク信号のフレーム毎の参照シンボルの数が、フレーム毎の参照シンボルの所定の最小数以上であるような、システム帯域幅の関数である。フレーム毎の参照シンボルの所定の最小数は、一般に、少なくとも所望の性能特性を提供するように選択される。関心の対象となる性能特性は、時間及び周波数同期、並びに／若しくはチャネル推定性能を含むことができる。
【００２２】
好適な実施形態では、セルラー通信ネットワーク１０は、ＬＴＥネットワークである。好適なＬＴＥの実施形態では、サブフレームの数、又は共通参照シンボル（ＣＲＳ）を搬送するダウンリンク信号中のフレーム毎の直交周波数分割多重（ＯＦＤＭ）シンボル期間の数は、ダウンリンクキャリアのシステム帯域幅の関数である。現在、ＬＴＥダウンリンクキャリアのシステム帯域幅は、１．４、３、５、１０、１５、２０メガヘルツ（ＭＨｚ）の帯域幅に対して、それぞれ、６、１５、２５、５０、７５、１００リソースブロック（ＲＢ）ペアとすることができる。一般に、ダウンリンクキャリアのシステム帯域幅が減少するにつれ、サブフレーム又はＣＲＳを搬送するフレーム毎のＯＦＤＭシンボル期間の数は、増加する。また、いくつかの実施形態では、ＣＲＳを搬送するダウンリンク信号の周波数次元におけるＲＢの数は、ダウンリンクキャリアのシステム帯域幅の関数でもある。
【００２３】
無線デバイス１４は、基地局１２からダウンリンク信号を受信し、ダウンリンク信号で搬送された参照シンボルを使用して、１つ又は複数の動作を実行する。１つ又は複数の動作は、時間及び／又は周波数同期、チャネル推定などを含むことができるが、これらに限定されない。ＬＴＥについて、１つ又は複数の動作は、付加的に又は代替的に、ダウンリンク信号で搬送されるＣＲＳを使用して、１つ又は複数の無線リソース管理（ＲＲＭ）測定値を取得することを含むことができる。
【００２４】
図５は、本開示の１つの実施形態による、図４の無線デバイスの動作を示すフローチャートである。まず、無線デバイス１４は、ダウンリンクキャリアのシステム帯域幅を決定する（ステップ１００）。ＬＴＥについて、システム帯域幅は、サブフレーム毎のリソースブロックペア（ＲＢペア）の数として表すことができる。１つの実施形態では、無線デバイス１４は、ダウンリンクキャリアのシステム帯域幅のインジケータを、基地局１２から適切なシグナリングを介して、受信することによって、システム帯域幅を決定する。ＬＴＥについて、ダウンリンクキャリアのシステム帯域幅は、無線デバイス１４、又は類似の上位層シグナリング機構に固有のシグナリングを通して、システム情報ブロック（ＳＩＢ）において、物理ブロードキャストチャネル（ＰＢＣＨ）に適用可能なパラメータを介して、無線デバイス１４に伝達することができる。以下で詳細に述べられる別の実施形態では、無線デバイス１４は、フレーム毎の参照シンボルを搬送する時間領域ユニット（例えば、サブフレーム又はＯＦＤＭシンボル期間）の数を検出することにより、ダウンリンクキャリアのシステム帯域幅を決定する。
【００２５】
次に、無線デバイス１４は、ダウンリンクキャリアのシステム帯域幅に基づき、又は別の方法でダウンリンクキャリアのシステム帯域幅の関数として、フレーム毎の参照シンボルを搬送する時間領域ユニット（例えば、サブフレーム又はＯＦＤＭシンボル期間）の数を決定する（ステップ１０２）。いくつかの実施形態では、無線デバイス１４はまた、ダウンリンクキャリアのシステム帯域幅に基づき、又は別の方法でダウンキャリアのシステム帯域幅の関数として、参照シンボルを搬送するダウンリンク信号（例えば、リソースブロック）の周波数次元における周波数領域ユニットの数も決定する（ステップ１０４）。注目すべきは、処理に先立って、この実施形態では、ステップ１００〜１０４は、無線デバイス１４によってプログラムで実行され、いくつかの実施形態では、必要に応じて繰り返すことができることである。例として、無線デバイス１４が、新しいセルラー通信ネットワークでコールドスタートを実行すると、ステップ１００〜１０４を実行することができる。しかしながら、別の実施形態では、ステップ１００〜１０４は、無線デバイス１４の設計又は製造中に実行され、この結果、ダウンリンクキャリアのシステム帯域幅、参照シンボルを搬送するフレーム毎の時間領域ユニットの数、及びいくつかの実施形態では、周波数次元における参照シンボルを搬送する周波数領域ユニットの数が、無線デバイス１４の設計者または製造者により決定され、無線デバイス１４にハードコードされる。
【００２６】
次に、無線デバイス１４は、ダウンリンク信号が、フレーム毎の時間領域ユニットの決定された数、及びいくつかの実施形態では、周波数領域ユニットの決定された数で搬送される参照シンボルを有する、ダウンリンク信号を受信する（ステップ１０６）。無線デバイス１４は、ダウンリンク信号で搬送される参照シンボルを使用して、１つ又は複数の動作を実行する（ステップ１０８）。この場合もやはり、１つ又は複数の動作は、時間及び／又は周波数同期、チャネル推定などを含むことができるが、これらに限定されない。ＬＴＥについて、１つ又は複数の動作は、付加的又は代替的に、ダウンリンクキャリアで搬送されるＣＲＳを使用して、１つ又は複数のＲＲＭ測定値の取得を含むことができる。
【００２７】
処理に先立って、先ほど述べられたように、本明細書中に開示された好ましい実施形態では、セルラー通信ネットワーク１０は、ＬＴＥネットワークである。そのようなものとして、この説明の残りの部分は、好ましいＬＴＥの実施形態に焦点を当て、ゆえに、ＬＴＥ専門用語が使用される。しかしながら、この場合もやはり、本明細書に開示された概念は、ＬＴＥに限定されておらず、ネットワークの任意の適切なタイプで使用することができる。
【００２８】
図６は、本発明の第１の具体的な実施形態による、図４の無線デバイス１４の動作を示すフローチャートである。この実施形態では、セルラー通信ネットワーク１０は、ＬＴＥネットワークである。まず、無線デバイス１４は、ダウンリンクキャリアのシステム帯域幅を決定する（ステップ２００）。ＬＴＥについて、システム帯域幅は、ダウンリンクキャリアの周波数次元におけるＲＢの数（すなわち、サブフレーム毎のＲＢペアの数）として表すことができる。１つの実施形態では、無線デバイス１４は、ダウンリンクキャリアのシステム帯域幅のインジケータを、基地局１２から適切なシグナリングを介して、受信することによって、システム帯域幅を決定する。ＬＴＥについて、ダウンリンクキャリアのシステム帯域幅は、無線デバイス１４、又は類似の上位層シグナリング機構に固有のシグナリングを通して、ＳＩＢにおいて、ＰＢＣＨの適用可能なパラメータを介して、無線デバイス１４に伝達することができる。以下で詳細に述べられる別の実施形態では、無線デバイス１４は、サブフレームの数を検出することにより、又は代替的には、フレーム毎の参照シンボルを搬送するＯＦＤＭシンボル期間を検出することにより、ダウンリンクキャリアのシステム帯域幅を決定する。
【００２９】
次に、無線デバイス１４は、ダウンリンクキャリアのシステム帯域幅に基づき、又は別の方法でダウンリンクキャリアのシステム帯域幅の関数として、半フレーム毎のＣＲＳを搬送するサブフレームの数（ＣＳＦ）を決定する（ステップ２０２）。より具体的には、この実施形態において、半フレーム毎のＣＲＳを搬送するサブフレームの数（ＣＳＦ）は、以下のように定義される。
2015512577.tif 000003
ここで、ｃｅｉｌ（）は、最小の次の整数に実数をマッピングする天井関数であり、ＲＭＩＮは、ＣＲＳを搬送するために必要な、半フレーム毎のＲＢペアの所定の最小数であり、かつＮＲＢは、ＲＢの数として表されるダウンリンクキャリアのシステム帯域幅である。注目すべきは、ＲＭＩＮは、半フレーム毎の参照シンボルの所定の数を表す１つの方法であるということである。数式１から、フレーム毎のＣＲＳを搬送するサブフレームの数は、２・ＣＳＦとして表すことができる。同様に、ＣＲＳを搬送するために必要とされる、フレーム毎のＲＢペアの所定の最小数は、２・ＲＭＩＮと定義することができる。
【００３０】
無線デバイス１４はまた、ダウンリンクキャリアのシステム帯域幅に基づき、又は別の方法でダウンリンクキャリアのシステム帯域幅の関数として、ＣＲＳ（ＣＲＢ）を搬送するダウンリンク信号の周波数領域のＲＢの数も決定する（ステップ２０４）。より具体的には、本実施形態では、ＣＲＳを搬送するダウンリンクキャリアの周波数次元におけるＲＢの数（ＣＲＢ）が、以下のように定義される。
2015512577.tif 000004
ここで、ｍｉｎ（）は、ＮＲＢ及びＲＭＩＮの最小値を返す最小関数である。数式１及び数式２によれば、ＣＲＳは、フレーム又は全システム帯域幅内の全てのサブフレームを占めるとは限らない。無線デバイス１４は、数式１及び数式２によりＣＳＦ及びＣＲＢを計算し、適切な参照表などを使用して、ＣＳＦ及びＣＲＢを決定することなどができる。
【００３１】
ＣＲＳを搬送するダウンリンクキャリアの周波数次元でのＲＢは、好ましくは、システム帯域幅の中心部である。１つの具体的な実施形態では、ＣＲＳは、プライマリ同期シーケンス（ＰＳＳ）及びセカンダリ同期シーケンス（ＳＳＳ）が送信される少なくともこれらのサブフレーム中に存在する。ＣＳＦ＞１の場合、次に半フレーム毎に、追加のＣＳＦ−１のサブフレームは、ＣＲＳを搬送し、これらの追加のＣＳＦ−１のサブフレームは、ＰＳＳ及びＳＳＳが送信されるサブフレームの前で、又はＰＳＳ及びＳＳＳが送信されたサブフレームの後で、若しくはその両方で、ＰＳＳ及びＳＳＳが送信されるサブフレームに直接隣接することができる。ＰＳＳ及びＳＳＳが送信されるサブフレームの位置にＣＲＳを搬送するサブフレームの位置の関係は、好ましくは、あらかじめ定義され、無線デバイス１４に知らされている。さらに、ＰＳＳ及びＳＳＳを搬送するフレーム毎に２つのサブフレームが存在し、フレーム毎にＣＲＳを搬送する２・ＣＳＦサブフレームが存在するだろう。
【００３２】
この実施形態では、ステップ２００〜２０４は、無線デバイス１４によりプログラムで実行され、いくつかの実施形態では、必要に応じて、繰り返すことができる。例として、無線デバイス１４が、新しいセルラー通信ネットワークでコールドスタートを実行すると、ステップ２００〜２０４を実行することができる。しかしながら、別の実施形態では、ステップ２００〜２０４は、無線デバイス１４の設計又は製造中に実行され、この結果、ダウンリンクキャリアのシステム帯域幅は、半フレーム毎のＣＲＳを搬送するサブフレームの数、及びＣＲＳを搬送する周波数次元におけるＲＢの数は、無線デバイス１４の設計者又は製造者により決定され、無線デバイス１４にハードコアされる。
【００３３】
次に、無線デバイス１４は、ダウンリンク信号を受信するが、ここでは、ダウンリンク信号が、半フレーム毎のサブフレームの決定された数、及びダウンリンク信号の周波数次元におけるＲＢの決定された数で搬送されるＣＲＳを有する（ステップ２０６）。無線デバイス１４は、ダウンリンク信号で搬送されるＣＲＳを使用して、１つ又は複数の動作を実行する（ステップ２０８）。この場合もやはり、１つ又は複数の動作は、時間及び／又は周波数同期、チャネル推定などを含むことができるが、これらに限定されない。ＬＴＥについて、１つ又は複数の動作は、付加的又は代替的に、ダウンリンクキャリアで搬送されるＣＲＳを使用して、１つ又は複数のＲＲＭ測定値の取得を含むことができる。
【００３４】
図７は、図６のプロセスに従って、ダウンリンク信号の時間次元におけるフレーム毎のサブフレームの決定された数、及びダウンリンク信号の周波数次元におけるＲＢの決定された数でＣＲＳを搬送する、ダウンリンク信号のＬＴＥフレーム１６の１つの例を示す。この例では、ダウンリンクキャリアのシステム帯域幅は、ＮＲＢ＝１５ＲＢ（すなわち、３  ＭＨｚ）と定義され、半フレーム毎のＲＢペアの所定の最小数は、ＲＭＩＮ＝２５と定義される。そのようなものとして、先ほどの数式１及び２に基づき、半フレーム毎のＣＲＳを搬送するサブフレームの数（ＣＳＦ）は２であり、ＣＲＳを搬送するダウンリンクキャリアの周波数次元におけるＲＢの数（ＣＲＢ）は１５に等しい。ゆえに、図７に示すように、ＣＲＳは、ＬＴＥフレーム１６にＣＲＳを搬送する合計４つのサブフレームについて、半フレーム毎の２つのサブフレームに搬送される。具体的には、この具体的な実施形態では、ＣＲＳは、前半フレームのサブフレームＳＦ０及びＳＦ１、並びに後半フレームのサブフレームＳＦ５及びＳＦ６に搬送される。サブフレームＳＦ０及びＳＦ５は、ＰＳＳ及びＳＳＳを搬送するサブフレームである。さらに、ＣＲＳを搬送するサブフレームの各々で、ＣＲＳは、ダウンリンクキャリアの周波数次元における１５すべてのＲＢに搬送される。その結果、半フレーム毎のＣＲＳを搬送するＲＢペアの数は３０であり、この例では２５であるＲＭＩＮよりも大きい。図７はまた、ＲＢ１８と呼ばれる、ＣＲＳを搬送するＲＢの１つを示す。図示されたように、ＲＢ１８は、アンテナポート０の従来の位置にＣＲＳを搬送する。同様に、ＬＴＥフレーム１６にＣＲＳを搬送する他のＲＢは、アンテナポート０の従来の位置にＣＲＳを搬送する。
【００３５】
図８は、図６のプロセスに従った、時間次元におけるフレーム毎のサブフレームの決定された数、及び周波数次元におけるＲＢの決定された数でＣＲＳを搬送するＬＴＥフレーム２０のもう１つの例を示す。この例では、システム帯域幅は、ＮＲＢ＝５０ＲＢ（すなわち、１０ＭＨｚ）と定義され、半フレーム毎のＲＢペアの所定の最小数は、ＲＭＩＮ＝２５と定義される。そのようなものとして、先ほどの数式１及び２に基づき、半フレーム毎のＣＲＳを搬送するサブフレームの数（ＣＳＦ）は１であり、ＣＲＳを搬送するダウンリンクキャリアの周波数次元におけるＲＢの数（ＣＲＢ）は２５に等しい。ゆえに、図８に示されるように、ＣＲＳは、ＬＴＥフレーム２０にＣＲＳを搬送する合計２つのサブフレームについて、半フレーム毎の１つのサブフレームに搬送される。特に、この具体的な実施形態では、ＣＲＳは、第１のスロット、又は半フレームのサブフレームＳＦ０、及び第２のスロット、又は半フレームのサブフレームＳＦ５に搬送される。サブフレームＳＦ０及びＳＦ５は、ＰＳＳ及びＳＳＳを搬送するサブフレームである。さらに、ＣＲＳを搬送するサブフレームの各々において、ＣＲＳは、ダウンリンクキャリアのシステム帯域幅の５０すべてのＲＢではなく、ダウンリンクキャリアの周波数次元における２５のＲＢだけに搬送される。図示されたように、ＣＲＳを搬送する周波数次元における２５のＲＢは、システム帯域幅における２５の真ん中のＲＢである。その結果、半フレーム毎のＣＲＳを搬送するＲＢペアの数は２５であり、ＲＭＩＮに等しい。図８はまた、ＲＢ２２と呼ばれる、ＣＲＳを搬送するＲＢのうちの１つも示す。図示されたように、ＲＢ２２は、アンテナポート０の従来の位置にＣＲＳを搬送する。同様に、ＬＴＥフレーム２０にＣＲＳを搬送する他のＲＢは、アンテナポート０の従来の位置にＣＲＳを搬送する。
【００３６】
図９は、本開示の第２の具体的な実施形態による、図４の無線デバイス１４の動作を示すフローチャートである。この実施形態では、セルラー通信ネットワーク１０は、ＬＴＥネットワークである。まず、無線デバイス１４は、ダウンリンクキャリアのシステム帯域幅を決定する（ステップ３００）。ＬＴＥについて、システム帯域幅は、ダウンリンクキャリアの周波数次元におけるＲＢの数として表すことができる。１つの実施形態では、無線デバイス１４は、ダウンリンクキャリアのシステム帯域幅のインジケータを、基地局１２から適切なシグナリングを介して、受信することによって、システム帯域幅を決定する。ＬＴＥについて、ダウンリンクキャリアのシステム帯域幅は、無線デバイス１４、又は類似の上位層シグナリング機構に固有のシグナリングを通して、ＳＩＢにおいて、ＰＢＣＨの適用可能なパラメータを介して、無線デバイス１４に伝達することができる。以下で詳細に述べられる別の実施形態では、無線デバイス１４は、サブフレームの数を検出することにより、又は代替的には、フレーム毎の参照シンボルを搬送するＯＦＤＭシンボル期間を検出することにより、ダウンリンクキャリアのシステム帯域幅を決定する。
【００３７】
次に、無線デバイス１４は、ダウンリンクキャリアのシステム帯域幅に基づき、又は別の方法でダウンリンクキャリアのシステム帯域幅の関数として、半フレーム毎のＣＲＳを搬送するサブフレームの数（ＣＳＦ）を決定する（ステップ３０２）。より具体的には、本実施形態において、半フレーム毎のＣＲＳを搬送するサブフレームの数（ＣＳＦ）が、以下のように定義される。
2015512577.tif 000005
ここで、ｃｅｉｌ（）は、最小の次の整数に実数をマッピングする天井関数であり、ＲＭＩＮは、ＣＲＳを搬送するために必要な、半フレーム毎のＲＢペアの所定の最小数であり、かつＮＲＢは、ＲＢの数として表されるダウンリンクキャリアのシステム帯域幅である。無線デバイス１４は、数式３に従ってＣＳＦを計算し、適切な参照表を使用してＣＳＦを決定することなどができる。数式３から、フレーム毎のＣＲＳを搬送するサブフレームの数は、２・ＣＳＦとして表すことができる。同様に、ＣＲＳを搬送するために必要とされる、フレーム毎のＲＢペアの所定の最小数は、２・ＲＭＩＮと定義することができる。
【００３８】
この実施形態では、ＣＲＳを搬送するダウンリンクキャリアの周波数領域のＲＢの数（ＣＲＢ）は、ダウンリンクキャリアのシステム帯域幅に等しい（すなわち、ＣＲＢ＝  ＮＲＢ）。したがって、この実施形態では、ＣＲＳは、フレーム内の全てのサブフレームを占めるとは限らない。しかし、ＣＲＳは、ＣＲＳを搬送するサブフレームのシステム帯域幅にわたり、すべてのＲＢを占める。
【００３９】
この実施形態では、ステップ３００及び３０２は、無線デバイス１４によりプログラムで実行され、いくつかの実施形態では、必要に応じて繰り返すことができる。例として、ステップ３００及び３０２は、無線デバイス１４が、新しいセルラー通信ネットワークでコールドスタートを実行すると、実行することができる。しかしながら、代替的な実施形態では、ステップ３００及び３０２は、無線デバイス１４の設計及び製造中に実行され、その結果、ダウンリンクキャリアのシステム帯域幅、半フレーム毎のＣＲＳを搬送するサブフレームの数、及びＣＲＳを搬送する周波数次元におけるＲＢの数は、無線デバイス１４の設計者又は製造者により決定され、無線デバイス１４にハードコードされる。
【００４０】
次に、無線デバイス１４は、ダウンリンクキャリア上でダウンリンク信号を受信するが、ここでは、ダウンリンク信号が、フレーム毎に、半フレーム毎のサブフレームの決定された数、及びダウンリンクキャリアの周波数次元におけるＮＲＢ  ＲＢで搬送されるＣＲＳを有する。無線デバイス１４は、ダウンリンク信号で搬送されるＣＲＳを使用して、１つ又は複数の動作を実行する（ステップ３０６）。この場合もやはり、１つ又は複数の動作は、時間及び／又は周波数同期、チャネル推定などを含むことができるが、これらに限定されない。ＬＴＥについて、１つ又は複数の動作は、付加的又は代替的に、ダウンリンク信号で搬送されるＣＲＳを使用して、１つ又は複数のＲＲＭ測定値の取得を含むことができる。
【００４１】
図１０は、図９のプロセスに従った、時間次元におけるフレーム毎のサブフレームの決定された数、及び周波数次元におけるＮＲＢ  ＲＢでＣＲＳを搬送するダウンリンク信号のＬＴＥフレーム２４の１つの例を示す。この例では、システム帯域幅は、ＮＲＢ＝５０ＲＢ（すなわち、１０  ＭＨｚ）と定義され、半フレーム毎のＲＢペアの所定の最小数は、ＲＭＩＮ＝２５と定義される。そのようなものとして、先ほどの数式３に基づき、半フレーム毎のＣＲＳを搬送するサブフレームの数（ＣＳＦ）は１であり、ＣＲＳを搬送するダウンリンクキャリアの周波数次元におけるＲＢの数（ＣＲＢ）は５０に等しい。ゆえに、図１０に示されるように、ＣＲＳは、ＬＴＥフレーム２４にＣＲＳを搬送する合計２つのサブフレームについて、半フレーム毎の１つのサブフレームに搬送される。特に、この具体的な実施形態では、ＣＲＳは、第１のスロット、又は半フレームのサブフレームＳＦ０、及び第２のスロット、又は半フレームのサブフレームＳＦ５に搬送される。サブフレームＳＦ０及びＳＦ５は、ＰＳＳ及びＳＳＳを搬送するサブフレームである。さらに、ＣＲＳを搬送するサブフレームの各々で、ＣＲＳは、ダウンリンクキャリアの周波数次元における５０すべてのＲＢに搬送される。その結果、半フレーム毎のＣＲＳを搬送するＲＢペアの数は５０であり、この例では２５であるＲＭＩＮよりも大きい。図１０はまた、ＲＢ２６と呼ばれる、ＣＲＳを搬送するＲＢのうちの１つも示す。図示されたように、ＲＢ２６は、アンテナポート０の従来の位置にＣＲＳを搬送する。同様に、ＬＴＥフレーム２４にＣＲＳを搬送する他のＲＢは、アンテナポート０の従来の位置にＣＲＳを搬送する。
【００４２】
図１１は、本開示の第３の具体的な実施形態による、図４の無線デバイス１４の動作を示すフローチャートである。この実施形態では、セルラー通信ネットワーク１０は、ＬＴＥネットワークである。この実施形態は、図６の実施形態に類似する。しかしながら、図６の実施形態では、ＣＲＳを搬送する、半フレーム毎のサブフレームの数（ＣＳＦ）が１より大きい場合には、ＣＲＳを搬送する周波数次元におけるＲＢの数は、ＮＲＢに等しい。これに対し、本実施形態では、ＣＲＳを搬送する周波数次元におけるＲＢの数（ＣＲＢ）は、ＣＲＳを搬送するＲＢペアの数が、ｃｅｉｌ（ＲＭＩＮ／  ＣＳＦ）に等しくなるように選択される。ゆえに、半フレーム毎の複数のサブフレームが、ＣＲＳを搬送するために割り当てられる場合に、ＣＲＳを搬送する周波数次元におけるＲＢの数（ＣＲＢ）は、半フレーム毎のＣＲＳを搬送するＲＭＩＮ  ＲＢペアを提供するために必要とされる最小数である。
【００４３】
より具体的には、まず、無線デバイス１４は、ダウンリンクキャリアのシステム帯域幅を決定する（ステップ４００）。ＬＴＥについて、システム帯域幅は、ダウンリンクキャリアの周波数次元におけるＲＢの数として表すことができる。１つの実施形態では、無線デバイス１４は、ダウンリンクキャリアのシステム帯域幅のインジケータを、基地局１２から適切なシグナリングを介して、受信することによって、システム帯域幅を決定する。ＬＴＥについて、ダウンリンクキャリアのシステム帯域幅は、無線デバイス１４、又は類似の上位層シグナリング機構に固有のシグナリングを通して、ＳＩＢにおいて、ＰＢＣＨの適用可能なパラメータを介して、無線デバイス１４に伝達することができる。以下で詳細に述べられる別の実施形態では、無線デバイス１４は、サブフレームの数を検出することにより、又は代替的には、フレーム毎の参照シンボルを搬送するＯＦＤＭシンボル期間を検出することにより、ダウンリンクキャリアのシステム帯域幅を決定する。
【００４４】
次に、無線デバイス１４は、ダウンリンクキャリアのシステム帯域幅に基づき、又は別の方法でダウンリンクキャリアのシステム帯域幅の関数として、半フレーム毎のＣＲＳを搬送するサブフレームの数（ＣＳＦ）を決定する（ステップ４０２）。より具体的には、本実施形態において、半フレーム毎のＣＲＳを搬送するサブフレームの数（ＣＳＦ）が、以下のように定義される。
2015512577.tif 000006
ここで、ｃｅｉｌ（）は、最小の次の整数に実数をマッピングする天井関数であり、ＲＭＩＮは、ＣＲＳを搬送するために必要な、半フレーム毎のＲＢペアの所定の最小数であり、かつＮＲＢは、ＲＢの数として表されるダウンリンクキャリアのシステム帯域幅である。数式４から、フレーム毎のＣＲＳを搬送するサブフレームの数は、２・ＣＳＦとして表すことができる。同様に、ＣＲＳを搬送するために必要とされる、フレーム毎のＲＢペアの所定の最小数は、２・ＲＭＩＮと定義することができる。
【００４５】
無線デバイス１４はまた、ダウンリンクキャリアのシステム帯域幅に基づき、又は別の方法でダウンリンクキャリアのシステム帯域幅の関数として、ＣＲＳを搬送するダウンリンクキャリアの周波数領域のＲＢの数（ＣＲＢ）も決定する（ステップ４０４）。より具体的には、本実施形態では、ＣＲＳを搬送するダウンリンクキャリアの周波数次元におけるＲＢの数（ＣＲＢ）が、以下のように定義される。
2015512577.tif 000007
無線デバイス１４は、数式４及び数式５によりＣＳＦ及びＣＲＢを計算し、適切な参照表などを使用して、ＣＳＦ及びＣＲＢを決定することなどができる。数式４及び５によると、半フレーム毎のＲＢペアの所定の最小数（ＲＭＩＮ）のみが、ＣＲＳを搬送するために割り当てられる。ゆえに、複数のサブフレームがＣＲＳを搬送すると、ＣＲＳは、システム帯域幅のＲＢのほんの一部のみを占めている。
【００４６】
ＣＲＳを搬送するダウンリンクキャリアの周波数次元でのＲＢは、好ましくは、システム帯域幅の中心部である。１つの具体的な実施形態では、ＣＲＳは、ＰＳＳ及びＳＳＳが送信される少なくともこれらのサブフレーム中に存在する。ＣＳＦ＞１の場合、次に各スロット毎に、又は半フレーム毎に、追加のＣＳＦ−１のサブフレームは、ＣＲＳを搬送し、これらの追加のＣＳＦ−１のサブフレームは、ＰＳＳ及びＳＳＳが送信されるサブフレームの前で、又はＰＳＳ及びＳＳＳが送信されたサブフレームの後で、若しくはその両方で、ＰＳＳ及びＳＳＳが送信されるサブフレームに直接隣接することができる。ＰＳＳ及びＳＳＳが送信されるサブフレームの位置にＣＲＳを搬送するサブフレームの位置の関係は、好ましくは、あらかじめ定義され、無線デバイス１４に知らされている。さらに、ＰＳＳ及びＳＳＳを搬送するフレーム毎に２つのサブフレームが存在するので、フレーム毎にＣＲＳを搬送する２・ＣＳＦサブフレームが存在するだろう。
【００４７】
この実施形態では、ステップ４００〜４０４は、無線デバイス１４によりプログラムで実行され、いくつかの実施形態では、必要に応じて、繰り返すことができる。例として、無線デバイス１４が、新しいセルラー通信ネットワークでコールドスタートを実行すると、ステップ４００〜４０４を実行することができる。しかしながら、別の実施形態では、ステップ４００〜４０４は、無線デバイス１４の設計又は製造中に実行され、この結果、ダウンリンクキャリアのシステム帯域幅は、半フレーム毎のＣＲＳを搬送するサブフレームの数、及びＣＲＳを搬送する周波数次元におけるＲＢの数は、無線デバイス１４の設計者又は製造者により決定され、無線デバイス１４にハードコアされる。
【００４８】
次に、無線デバイス１４は、ダウンリンクキャリア上でダウンリンク信号を受信するが、ここでは、ダウンリンク信号が、フレーム毎に、半フレーム毎のサブフレームの決定された数、及び周波数次元におけるＲＢの決定された数で搬送されるＣＲＳを有する（ステップ４０６）。無線デバイス１４は、ダウンリンク信号で搬送されるＣＲＳを使用して、１つ又は複数の動作を実行する（ステップ４０８）。この場合もやはり、１つ又は複数の動作は、時間及び／又は周波数同期、チャネル推定などを含むことができるが、これらに限定されない。ＬＴＥについて、１つ又は複数の動作は、付加的又は代替的に、ダウンリンクキャリアで搬送されるＣＲＳを使用して、１つ又は複数のＲＲＭ測定値の取得を含むことができる。
【００４９】
図１２は、図１１のプロセスに従った、時間次元におけるフレーム毎のサブフレームの決定された数、及び周波数次元におけるＲＢの決定された数でＣＲＳを搬送するダウンリンク信号のＬＴＥフレーム２８の１つの例を示す。この例では、システム帯域幅は、ＮＲＢ＝１５ＲＢ（すなわち、３  ＭＨｚ）と定義され、半フレーム毎のＲＢペアの所定の最小数は、ＲＭＩＮ＝２５と定義される。そのようなものとして、先ほどの数式４及び５に基づき、半フレーム毎のＣＲＳを搬送するサブフレームの数（ＣＳＦ）は２であり、ＣＲＳを搬送するダウンリンクキャリアの周波数次元におけるＲＢの数（ＣＲＢ）は１３に等しい。ゆえに、図１２に示すように、ＣＲＳは、ＬＴＥフレーム２８にＣＲＳを搬送する合計４つのサブフレームについて、半フレーム毎の２つのサブフレームに搬送される。特に、この具体的な実施形態では、ＣＲＳは、第１のスロット、又は半フレームのサブフレームＳＦ０及びＳＦ１、並びに第２のスロット、又は半フレームのサブフレームＳＦ５及びＳＦ６に搬送される。サブフレームＳＦ０及びＳＦ５は、ＰＳＳ及びＳＳＳを搬送するサブフレームである。さらに、ＣＲＳを搬送するサブフレームの各々において、ＣＲＳは、ダウンリンクキャリアの周波数次元における真ん中の１３のＲＢに搬送される。その結果、半フレーム毎のＣＲＳを搬送するＲＢペアの数は２６であり、この例では２５であるＲＭＩＮよりも大きい。図１２はまた、ＲＢ３０と呼ばれる、ＣＲＳを搬送するＲＢのうちの１つも示す。図示されたように、ＲＢ３０は、アンテナポート０の従来の位置にＣＲＳを搬送する。同様に、ＬＴＥフレーム２８にＣＲＳを搬送する他のＲＢは、アンテナポート０の従来の位置にＣＲＳを搬送する。
【００５０】
図１３は、本開示の第４の具体的な実施形態による、図４の無線デバイス１４の動作を示すフローチャートである。この実施形態では、セルラー通信ネットワーク１０は、ＬＴＥネットワークである。この実施形態は、先ほどの実施形態に類似する。しかし、本実施形態では、複数のアンテナポートのＣＲＳの位置を使用することができる。一般に、ＣＲＳは、まず、アンテナポート０の位置に搬送される。より多くのＣＲＳが必要な場合には、ＣＲＳは、追加のアンテナポート位置に搬送される。注目すべきことに、異なるアンテナポート位置のＣＲＳは、同一のアンテナポート又は異なるアンテナポート（例えば、基地局１２の同一の又は異なる無線機、若しくは異なる基地局の無線機）により送信することができる。
【００５１】
より具体的には、まず、無線デバイス１４は、ダウンリンクキャリアのシステム帯域幅を決定する（ステップ５００）。ＬＴＥについて、システム帯域幅は、ダウンリンクキャリアの周波数次元におけるＲＢの数として表すことができる。１つの実施形態では、無線デバイス１４は、ダウンリンクキャリアのシステム帯域幅のインジケータを、基地局１２から適切なシグナリングを介して、受信することによって、システム帯域幅を決定する。ＬＴＥについて、ダウンリンクキャリアのシステム帯域幅は、無線デバイス１４、又は類似の上位層シグナリング機構に固有のシグナリングを通して、ＳＩＢにおいて、ＰＢＣＨの適用可能なパラメータを介して、無線デバイス１４に伝達することができる。以下で詳細に述べられる別の実施形態では、無線デバイス１４は、サブフレームの数を検出することにより、又は代替的には、フレーム毎の参照シンボルを搬送するＯＦＤＭシンボル期間を検出することにより、ダウンリンクキャリアのシステム帯域幅を決定する。
【００５２】
次に、無線デバイス１４は、ＣＲＳを搬送するアンテナポートの数（ＣＰＯＲＴＳ）を決定する（ステップ５０２）。より具体的には、アンテナポートの数（ＣＰＯＲＴＳ）は、以下のように定義される。
2015512577.tif 000008
ここで、ＲＭＩＮは、ＣＲＳを搬送するために必要とされる、半フレーム毎のＲＢペアの所定の最小数であり、ＮＲＢは、ＲＢの数として表されるダウンリンクキャリアのシステム帯域幅である。数式６は、ＣＲＳを搬送するために使用することができるアンテナポートの最大数が２であると仮定することに留意すべきである。しかし、本開示は、これに限定されない。使用できるアンテナポートの最大数では、２より大きくてもよい（例えば、３又は４）。
【００５３】
次に、無線デバイス１４は、ダウンリンクキャリアのシステム帯域幅に基づき、又は別の方法でダウンリンクキャリアのシステム帯域幅の関数として、半フレーム毎のＣＲＳを搬送するサブフレームの数（ＣＳＦ）を決定する（ステップ５０４）。より具体的には、本実施形態において、半フレーム毎のＣＲＳを搬送するサブフレームの数（ＣＳＦ）が、以下のように定義される。
2015512577.tif 000009
ここで、ｃｅｉｌ（）は、最小の次の整数に実数をマッピングする天井関数である。数式７から、フレーム毎のＣＲＳを搬送するサブフレームの数は、２・ＣＳＦとして表すことができる。同様に、ＣＲＳを搬送するために必要とされる、フレーム毎のＲＢペアの所定の最小数は、２・ＲＭＩＮと定義することができる。
【００５４】
いくつかの実施形態では、無線デバイス１４はまた、ダウンリンクキャリアのシステム帯域幅に基づき、又は別の方法でダウンリンクキャリアのシステム帯域幅の関数として、ＣＲＳを搬送するダウンリンクキャリアの周波数領域のＲＢの数（ＣＲＢ）も決定する（ステップ５０６）。より具体的には、１つの実施形態では、ＣＲＳを搬送するダウンリンクキャリアの周波数次元におけるＲＢの数（ＣＲＢ）が、以下のように定義される。
2015512577.tif 000010
無線デバイス１４は、数式６、７、８によりＣＰＯＲＴＳ、ＣＳＦ及びＣＲＢを計算し、数式６、７、８に基づき、適切な参照表を使用して、ＣＰＯＲＴＳ、ＣＳＦ及びＣＲＢを決定することなどができる。
【００５５】
数式８が１つの例にすぎないということに留意すべきである。ダウンリンクキャリアの周波数次元におけるＲＢの数（ＣＲＢ）は、別の方法で定義することができる。例えば、別の実施形態では、ＣＲＳを搬送するダウンリンクキャリアの周波数次元におけるＲＢの数（ＣＲＢ）が、以下のように定義される。
2015512577.tif 000011
この実施形態では、無線デバイス１４は、数式６、７、９によりＣＰＯＲＴＳ、ＣＳＦ及びＣＲＢを計算し、数式６、７、９に基づき、適切な参照表を使用して、ＣＰＯＲＴＳ、ＣＳＦ及びＣＲＢを決定することなどができる。
【００５６】
さらに別の実施形態では、ＣＲＳを搬送するダウンリンクキャリアの周波数次元におけるＲＢの数（ＣＲＢ）が、以下のように定義される。
2015512577.tif 000012
数式１０を使用して、ＣＲＳを搬送する周波数次元におけるＲＢの数（ＣＲＢ）は、ＣＲＳを搬送するＲＢペアの数が、ｃｅｉｌ（ＲＭＩＮ／（ＣＰＯＲＴＳｘＣＳＦ））に等しくなるように選択される。ゆえに、半フレーム毎の複数のサブフレームが、ＣＲＳを搬送するために割り当てられる場合に、ＣＲＳを搬送する周波数次元におけるＲＢの数（ＣＲＢ）は、半フレーム毎のＣＲＳを搬送するＲＭＩＮ  ＲＢペアを提供するために必要とされる最小数である。この実施形態では、無線デバイス１４は、数式６、７、１０によりＣＰＯＲＴＳ、ＣＳＦ及びＣＲＢを計算し、数式６、７、１０に基づき、適切な参照表を使用して、ＣＰＯＲＴＳ、ＣＳＦ及びＣＲＢを決定することなどができる。
【００５７】
ＣＲＳを搬送するダウンリンクキャリアの周波数次元でのＲＢは、好ましくは、システム帯域幅の中心部である。１つの具体的な実施形態では、ＣＲＳは、ＰＳＳ及びＳＳＳが送信される少なくともこれらのサブフレーム中に存在する。ＣＳＦ＞１の場合、次に各スロット毎に、追加のＣＳＦ−１のサブフレームは、ＣＲＳを搬送し、これらの追加のＣＳＦ−１のサブフレームは、ＰＳＳ及びＳＳＳが送信されるサブフレームの前で、又はＰＳＳ及びＳＳＳが送信されたサブフレームの後で、若しくはその両方で、ＰＳＳ及びＳＳＳが送信されるサブフレームに直接隣接することができる。ＰＳＳ及びＳＳＳが送信されるサブフレームの位置にＣＲＳを搬送するサブフレームの位置の関係は、好ましくは、あらかじめ定義され、無線デバイス１４に知らされている。さらに、ＰＳＳ及びＳＳＳを搬送するフレーム毎に２つのサブフレームが存在するので、フレーム毎にＣＲＳを搬送する２・ＣＳＦサブフレームが存在するだろう。
【００５８】
この実施形態では、ステップ５００〜５０６は、無線デバイス１４によりプログラムで実行され、いくつかの実施形態では、必要に応じて、繰り返すことができる。例として、無線デバイス１４が、新しいセルラー通信ネットワークでコールドスタートを実行すると、ステップ５００〜５０６を実行することができる。しかしながら、代替的な実施形態では、ステップ５００〜５０６は、無線デバイス１４の設計及び製造中に実行され、その結果、ダウンリンクキャリアのシステム帯域幅、半フレーム毎のＣＲＳを搬送するサブフレームの数、及びＣＲＳを搬送する周波数次元におけるＲＢの数は、無線デバイス１４の設計者又は製造者により決定され、無線デバイス１４にハードコードされる。
【００５９】
次に、無線デバイス１４は、ダウンリンクキャリア上でダウンリンク信号を受信するが、ここでは、ダウンリンク信号は、アンテナポートの決定された数、フレーム毎に、半フレーム毎のサブフレームの決定された数、及び周波数次元におけるＲＢの決定された数で搬送されるＣＲＳを有する（ステップ５０８）。無線デバイス１４は、ダウンリンク信号で搬送されるＣＲＳを使用して、１つ又は複数の動作を実行する（ステップ５１０）。この場合もやはり、１つ又は複数の動作は、時間及び／又は周波数同期、チャネル推定などを含むことができるが、これらに限定されない。ＬＴＥについて、１つ又は複数の動作は、付加的又は代替的に、ダウンリンクキャリアで搬送されるＣＲＳを使用して、１つ又は複数のＲＲＭ測定値の取得を含むことができる。
【００６０】
図１４は、図１３のプロセスに従った、アンテナポートの決定された数、時間次元におけるフレーム毎のサブフレームの決定された数、及び周波数次元におけるＲＢの決定された数でＣＲＳを搬送するダウンリンク信号のＬＴＥフレーム３２の１つの例を示す。この例では、システム帯域幅は、ＮＲＢ＝１５ＲＢ（すなわち、３ＭＨｚ）と定義され、半フレーム毎のＲＢペアの所定の最小数は、ＲＭＩＮ＝２５と定義される。そのようなものとして、先ほどの数式６及び８に基づき、ＣＲＳを搬送するアンテナポートの数（ＣＰＯＲＴＳ）は２であり、半フレーム毎のＣＲＳを搬送するサブフレームの数（ＣＳＦ）は１であり、ＣＲＳを搬送するダウンリンクキャリアの周波数次元におけるＲＢの数（ＣＲＢ）は１３に等しい。ゆえに、図１４に示されるように、ＣＲＳは、ＬＴＥフレーム３２にＣＲＳを搬送する合計２つのサブフレームについて、半フレーム毎の１つのサブフレームに搬送される。特に、この具体的な実施形態では、ＣＲＳは、第１のスロット、又は半フレームのサブフレームＳＦ０、及び第２のスロット、又は半フレームのサブフレームＳＦ５に搬送される。サブフレームＳＦ０及びＳＦ５は、ＰＳＳ及びＳＳＳを搬送するサブフレームである。さらに、ＣＲＳを搬送するサブフレームの各々において、ＣＲＳは、ダウンリンクキャリアの周波数次元における真ん中の１３のＲＢのアンテナポート０及び１のＣＲＳ位置に搬送される。その結果、半フレーム毎のＣＲＳを搬送するＲＢペアの数は２６であり、この例では２５であるＲＭＩＮよりも大きい。図１４はまた、ＲＢ３４と呼ばれる、ＣＲＳを搬送するＲＢのうちの１つも示す。図示されたように、ＲＢ３４は、アンテナポート０のＣＲＳの位置及びアンテナポート１のＣＲＳ位置にＣＲＳを搬送する。同様に、ＬＴＥフレーム３２にＣＲＳを搬送する他のＲＢは、アンテナポート０のＣＲＳの位置及びアンテナポート１のＣＲＳの位置にＣＲＳを搬送する。
【００６１】
図１５は、図１３のプロセスに従った、アンテナポートの決定された数、時間次元におけるフレーム毎のサブフレームの決定された数、及び周波数次元におけるＲＢの決定された数でＣＲＳを搬送するダウンリンク信号のＬＴＥフレーム３６の１つの例を示す。この例では、ダウンリンクキャリアの周波数次元におけるＲＢの数は、ＣＲＢ＝  ＮＲＢと定義され、システム帯域幅は、ＮＲＢ＝１５ＲＢ（すなわち、３  ＭＨｚ）と定義され、半フレーム毎のＲＢペアの所定の最小数は、ＲＭＩＮ＝２５と定義される。そのようなものとして、先ほどの数式６及び７に基づき、ＣＲＳを搬送するアンテナポートの数（ＣＰＯＲＴＳ）は２であり、半フレーム毎のＣＲＳを搬送するサブフレームの数（ＣＳＦ）は１であり、ＣＲＳを搬送するダウンリンクキャリアの周波数次元におけるＲＢの数（ＣＲＢ）は１５に等しい。ゆえに、図１５に示されるように、ＣＲＳは、ＬＴＥフレーム３６にＣＲＳを搬送する合計２つのサブフレームについて、半フレーム毎の１つのサブフレームに搬送される。特に、この具体的な実施形態では、ＣＲＳは、第１のスロット、又は半フレームのサブフレームＳＦ０、及び第２のスロット、又は半フレームのサブフレームＳＦ５に搬送される。サブフレームＳＦ０及びＳＦ５は、ＰＳＳ及びＳＳＳを搬送するサブフレームである。さらに、ＣＲＳを搬送するサブフレームの各々において、ＣＲＳは、ダウンリンクキャリアの周波数次元における１５すべてのＲＢのアンテナポート０及び１のＣＲＳ位置に搬送される。結果として、半フレーム毎の１つのＣＲＳを搬送するＲＢペアの数は３０であり（各ＲＢがＣＲＳの２つのポートを有するので）、本実施例では２５であるＲＭＩＮよりも大きい。図１５はまた、ＲＢ３８と呼ばれる、ＣＲＳを搬送するＲＢのうちの１つも示す。図示されたように、ＲＢ３８は、アンテナポート０のＣＲＳの位置及びアンテナポート１のＣＲＳ位置にＣＲＳを搬送する。同様に、ＬＴＥフレーム３６にＣＲＳを搬送する他のＲＢは、アンテナポート０のＣＲＳの位置及びアンテナポート１のＣＲＳの位置にＣＲＳを搬送する。
【００６２】
図１６は、本開示の第４の具体的な実施形態による、図４の無線デバイス１４の動作を示すフローチャートである。この実施形態では、セルラー通信ネットワーク１０は、ＬＴＥネットワークである。この実施形態は、図１３の実施形態に類似する。しかし、この実施形態では、異なるサブフレームでＣＲＳを搬送するために使用されるアンテナポートの数は異なっていてもよい。
【００６３】
より具体的には、まず、無線デバイス１４は、ダウンリンクキャリアのシステム帯域幅を決定する（ステップ６００）。ＬＴＥについて、システム帯域幅は、ダウンリンクキャリアの周波数次元におけるＲＢの数として表すことができる。１つの実施形態では、無線デバイス１４は、ダウンリンクキャリアのシステム帯域幅のインジケータを、基地局１２から適切なシグナリングを介して、受信することによって、システム帯域幅を決定する。ＬＴＥについて、ダウンリンクキャリアのシステム帯域幅は、無線デバイス１４、又は類似の上位層シグナリング機構に固有のシグナリングを通して、ＳＩＢにおいて、ＰＢＣＨの適用可能なパラメータを介して、無線デバイス１４に伝達することができる。以下で詳細に述べられる別の実施形態では、無線デバイス１４は、サブフレームの数を検出することにより、又は代替的には、フレーム毎の参照シンボルを搬送するＯＦＤＭシンボル期間を検出することにより、ダウンリンクキャリアのシステム帯域幅を決定する。
【００６４】
次に、無線デバイス１４は、ＣＲＳを搬送するアンテナポートの数（ＣＰＯＲＴＳ）を決定する（ステップ６０２）。より具体的には、アンテナポートの数（ＣＰＯＲＴＳ）は、以下のように定義される。
2015512577.tif 000013
ここで、ＲＭＩＮは、ＣＲＳを搬送するために必要とされる、半フレーム毎のＲＢペアの所定の最小数であり、ＮＲＢは、ＲＢの数として表されるダウンリンクキャリアのシステム帯域幅である。数式１１は、ＣＲＳを搬送するために使用することができるアンテナポートの最大数が２であると仮定することに留意すべきである。しかし、本開示は、これに限定されない。使用できるアンテナポートの最大数では、２より大きくてもよい（例えば、３又は４）。
【００６５】
無線デバイス１４は次に、ダウンリンクキャリアのシステム帯域幅に基づき、又は別の方法でダウンリンクキャリアのシステム帯域幅の関数として、アンテナポート０のＣＲＳの位置（ＣＳＦ０）の、半フレーム毎のＣＲＳを搬送するサブフレームの数を決定する（ステップ６０４）。より具体的には、本実施形態において、アンテナポート０のＣＲＳの位置（ＣＳＦ０）の、半フレーム毎のＣＲＳを搬送するサブフレームの数が、以下のように定義される。
2015512577.tif 000014
ここで、ｃｅｉｌ（）は、最小の次の整数に実数をマッピングする天井関数である。数式１２から、アンテナポート０のＣＲＳの位置の、フレーム毎のＣＲＳを搬送するサブフレームの数は、２・ＣＳＦ０と表すことができる。同様に、ＣＲＳを搬送するために必要とされる、フレーム毎のＲＢペアの所定の最小数は、２・ＲＭＩＮと定義することができる。
【００６６】
無線デバイス１４はまた、ダウンリンクキャリアのシステム帯域幅に基づき、又は別の方法でダウンリンクキャリアのシステム帯域幅の関数として、アンテナポート１のＣＲＳの位置（ＣＳＦ１）の、半フレーム毎のＣＲＳを搬送するサブフレームの数を決定する（ステップ６０６）。より具体的には、本実施形態において、アンテナポート１のＣＲＳの位置（ＣＳＦ１）の、半フレーム毎のＣＲＳを搬送するサブフレームの数が、以下のように定義される。
2015512577.tif 000015
ここで、ｆｌｏｏｒ（）は、最大の前の整数に実数をマッピングする床関数である。数式１３から、アンテナポート１のＣＲＳの位置の、フレーム毎のＣＲＳを搬送するサブフレームの数は、２・ＣＳＦ１と表すことができる。
【００６７】
いくつかの実施形態では、無線デバイス１４はまた、ダウンリンクキャリアのシステム帯域幅に基づき、又は別の方法でダウンリンクキャリアのシステム帯域幅の関数として、ＣＲＳを搬送するダウンリンクキャリアの周波数領域のＲＢの数（ＣＲＢ）も決定する（ステップ６０８）。より具体的には、１つの実施形態では、ＣＲＳを搬送するダウンリンクキャリアの周波数次元におけるＲＢの数（ＣＲＢ）が、数式９のように定義される。他の実施形態では、数式８又は１０が使用されてもよい。無線デバイス１４は、数式１１、１２、１３及び９により、ＣＰＯＲＴＳ、ＣＳＦ０、ＣＳＦ１、及びＣＲＢを計算し、数式１１、１２、１３及び９に基づき構成された適切な参照表を使用して、ＣＰＯＲＴＳ、ＣＳＦ及びＣＲＢを決定することなどができる。
【００６８】
ＣＲＳを搬送するダウンリンクキャリアの周波数次元でのＲＢは、好ましくは、システム帯域幅の中心部である。１つの具体的な実施形態では、ＣＲＳは、ＰＳＳ及びＳＳＳが送信される少なくともこれらのサブフレーム中に存在する。ＣＳＦ＞１の場合、次に各スロット毎に、追加のＣＳＦ−１のサブフレームは、ＣＲＳを搬送し、これらの追加のＣＳＦ−１のサブフレームは、ＰＳＳ及びＳＳＳが送信されるサブフレームの前で、又はＰＳＳ及びＳＳＳが送信されたサブフレームの後で、若しくはその両方で、ＰＳＳ及びＳＳＳが送信されるサブフレームに直接隣接することができる。ＰＳＳ及びＳＳＳが送信されるサブフレームの位置にＣＲＳを搬送するサブフレームの位置の関係は、好ましくは、あらかじめ定義され、無線デバイス１４に知らされている。さらに、ＰＳＳ及びＳＳＳを搬送するフレーム毎に２つのサブフレームが存在するので、フレーム毎にＣＲＳを搬送する２・ＣＳＦサブフレームが存在するだろう。
【００６９】
この実施形態では、ステップ６００〜６０８は、無線デバイス１４によりプログラムで実行され、いくつかの実施形態では、必要に応じて、繰り返すことができる。例として、無線デバイス１４が、新しいセルラー通信ネットワークでコールドスタートを実行すると、ステップ６００〜６０８を実行することができる。しかしながら、代替的な実施形態では、ステップ６００〜６０８は、無線デバイス１４の設計及び製造中に実行され、その結果、ダウンリンクキャリアのシステム帯域幅、アンテナポートの数、異なるアンテナポート各々に対する半フレーム毎のＣＲＳを搬送するサブフレームの数、及びＣＲＳを搬送する周波数次元におけるＲＢの数は、無線デバイス１４の設計者又は製造者により決定され、無線デバイス１４にハードコードされる。
【００７０】
次に、無線デバイス１４は、ダウンリンクキャリア上でダウンリンク信号を受信するが、ここでは、ダウンリンク信号は、アンテナポートの決定された数、異なるアンテナポート各々に対するフレーム毎に、半フレーム毎のサブフレームの決定された数、及び周波数次元におけるＲＢの決定された数で搬送されるＣＲＳを有する（ステップ６１０）。無線デバイス１４は、ダウンリンク信号で搬送されるＣＲＳを使用して、１つ又は複数の動作を実行する（ステップ６１２）。この場合もやはり、１つ又は複数の動作は、時間及び／又は周波数同期、チャネル推定などを含むことができるが、これらに限定されない。ＬＴＥについて、１つ又は複数の動作は、付加的又は代替的に、ダウンリンクキャリアで搬送されるＣＲＳを使用して、１つ又は複数のＲＲＭ測定値の取得を含むことができる。
【００７１】
図１７は、図１８のプロセスに従った、アンテナポートの決定された数、異なるサブフレーム各々に対する時間次元におけるフレーム毎のサブフレームの決定された数、及び周波数次元におけるＲＢの決定された数でＣＲＳを搬送するＬＴＥフレーム４０の１つの例を示す。この例では、ＣＲＢは、ＮＲＢに等しいものと定義される。しかし、本開示は、これに限定されない。さらに、この例では、システム帯域幅は、ＮＲＢ＝１５ＲＢ（すなわち、３  ＭＨｚ）と定義され、半フレーム毎のＲＢペアの所定の最小数は、ＲＭＩＮ＝３５と定義される。そのようなものとして、先ほどの数式１１〜１３に基づき、ＣＲＳを搬送するアンテナポートの数（ＣＰＯＲＴＳ）  は２であり、アンテナポート０のＣＲＳの位置（ＣＳＦ０）における、半フレーム毎のＣＲＳを搬送するサブフレームの数（ＣＳＦ）は２であり、アンテナポート１のＣＲＳの位置（ＣＳＦ１）における、半フレーム毎のＣＲＳを搬送するサブフレームの数は１に等しく、ＣＲＳを搬送するダウンリンクキャリアの周波数次元におけるＲＢの数（ＣＲＢ）は１５に等しい。ゆえに、図１７に示すように、ＣＲＳは、ＬＴＥフレーム４０にＣＲＳを搬送する合計４つのサブフレームについて、半フレーム毎の２つのサブフレームに搬送される。特に、この具体的な実施形態では、アンテナポート０の位置のＣＲＳは、前半フレームのサブフレームＳＦ０及びＳＦ１、並びに後半フレームのサブフレームＳＦ５及びＳＦ６に搬送される。アンテナポート１の位置のＣＲＳは、前半フレームのサブフレームＳＦ０、及び後半フレームのサブフレームＳＦ５に搬送される。サブフレームＳＦ０及びＳＦ５は、ＰＳＳ及びＳＳＳを搬送するサブフレームである。結果として、半フレーム毎の１つのＣＲＳを搬送するＲＢペアの数は４５であり（第１のサブフレームのＲＢは２つのＣＲＳポートを搬送し、第２のサブフレームのＲＢは１つのＣＲＳポートを搬送するので）、本実施例では３５であるＲＭＩＮよりも大きい。図１７はまた、ＲＢ４２と呼ばれる、アンテナポート０及び１の位置でＣＲＳを搬送するＲＢのうちの１つ、並びにＲＢ４４と呼ばれる、アンテナポート０の位置だけでＣＲＳを搬送するＲＢのうちの１つも示す。
【００７２】
図１８は、本開示の第６の具体的な実施形態による、図４の無線デバイス１４の動作を示すフローチャートである。一般的に、先ほど説明した実施形態の多くは、時間領域ユニットとしてサブフレームを利用するが、本開示は、これに限定されない。代替的には、ＯＦＤＭシンボル期間は、時間領域ユニットとして使用することができる。図１８の具体的な実施形態は、図６の実施形態と類似しているが、時間領域ユニットは、サブフレームではなく、ＯＦＤＭシンボル期間である。
【００７３】
まず、無線デバイス１４は、ダウンリンクキャリアのシステム帯域幅を決定する（ステップ７００）。ＬＴＥについて、システム帯域幅は、ダウンリンクキャリアの周波数次元におけるＲＢの数として表すことができる。１つの実施形態では、無線デバイス１４は、ダウンリンクキャリアのシステム帯域幅のインジケータを、基地局１２から適切なシグナリングを介して、受信することによって、システム帯域幅を決定する。ＬＴＥについて、ダウンリンクキャリアのシステム帯域幅は、無線デバイス１４、又は類似の上位層シグナリング機構に固有のシグナリングを通して、ＳＩＢにおいて、ＰＢＣＨの適用可能なパラメータを介して、無線デバイス１４に伝達することができる。以下で詳細に述べられる別の実施形態では、無線デバイス１４は、サブフレームの数を検出することにより、又は代替的には、フレーム毎の参照シンボルを搬送するＯＦＤＭシンボル期間を検出することにより、ダウンリンクキャリアのシステム帯域幅を決定する。
【００７４】
次に、無線デバイス１４は、ダウンリンクキャリアのシステム帯域幅に基づき、又は別の方法でダウンリンクキャリアのシステム帯域幅の関数として、半フレーム毎の１つのＣＲＳポートを搬送するＯＦＤＭシンボル期間の数（ＣＳＹＭ）を決定する（ステップ７０２）。より具体的には、本実施形態において、半フレーム毎のＣＲＳを搬送するＯＦＤＭシンボル期間の数（ＣＳＹＭ）が、以下のように定義される。
2015512577.tif 000016
ここで、ＲＭＩＮ＿ＳＹＭは、半フレームの１つのＣＲＳポートを搬送することになっている、１ＲＢ×１ＯＦＤＭシンボル期間ユニットの所定の最小数を表す。ＣＲＳの同一数を取得するために、１つのサブフレームのＣＲＳの１つのアンテナポートが４ＯＦＤＭシンボル期間を使用するので、ＲＭＩＮ＿ＳＹＭは、以下のように定義される。
2015512577.tif 000017
数式１５から、フレーム毎のＣＲＳを搬送するＯＦＤＭシンボル期間の数は、２・ＣＳＹＭとして表すことができる。同様に、フレームごとに１つのＣＲＳを搬送するために必要とされる１  ＲＢ×１  ＯＦＤＭシンボル期間ユニットの所定の最小数は、２・ＲＭＩＮ＿ＳＹＭと定義することができる。
【００７５】
無線デバイス１４はまた、ダウンリンクキャリアのシステム帯域幅に基づき、又は別の方法でダウンリンクキャリアのシステム帯域幅の関数として、ＣＲＳを搬送するダウンリンクキャリアの周波数領域のＲＢの数（ＣＲＢ）も決定する（ステップ７０４）。より具体的には、本実施形態では、ＣＲＳを搬送するダウンリンクキャリアの周波数次元におけるＲＢの数（ＣＲＢ）が、以下のように定義される。
2015512577.tif 000018
数式１４〜１６によると、ＣＲＳは、ダウンリンクキャリアの時間次元及び周波数次元において全てのＲＢを占めるとは限らない。無線デバイス１４は、数式１４及び数式１６によりＣＳＹＭ及びＣＲＢを計算し、適切な参照表を使用して、ＣＳＹＭ及びＣＲＢを決定することなどができる。
【００７６】
ＣＲＳを搬送するダウンリンクキャリアの周波数次元でのＲＢは、好ましくは、システム帯域幅の中心部である。１つの具体的な実施形態では、ＣＲＳは、ＰＳＳ及びＳＳＳが送信されるサブフレームの少なくともＯＦＤＭシンボル期間に存在する。ＣＳＹＭ＞４の場合、次に半フレーム毎に、追加のＣＳＹＭ−４−１ＯＦＤＭシンボル期間は、ＣＲＳを搬送し、これらの追加のＣＳＹＭ−４−１ＯＦＤＭシンボル期間は、ＰＳＳ及びＳＳＳが送信されるサブフレームの前で、又はＰＳＳ及びＳＳＳが送信されたサブフレームの後で、若しくはその両方で、ＰＳＳ及びＳＳＳが送信されるサブフレームに直接隣接することができる。ＰＳＳ及びＳＳＳが送信されるサブフレームの位置にＣＲＳを搬送するＯＦＤＭシンボル期間の位置の関係は、好ましくは、予め定義され、無線デバイス１４に知らされている。
【００７７】
この実施形態では、ステップ７００〜７０４は、無線デバイス１４によりプログラムで実行され、いくつかの実施形態では、必要に応じて、繰り返すことができる。例として、無線デバイス１４が、新しいセルラー通信ネットワークでコールドスタートを実行すると、ステップ７００〜７０４を実行することができる。しかしながら、代替的な実施形態では、ステップ７００〜７０４は、無線デバイス１４の設計及び製造中に実行され、その結果、ダウンリンクキャリアのシステム帯域幅、半フレーム毎の１つのＣＲＳポートを搬送するＯＦＤＭシンボル期間の数、及びＣＲＳを搬送する周波数次元におけるＲＢの数は、無線デバイス１４の設計者又は製造者により決定され、無線デバイス１４にハードコードされる。
【００７８】
次に、無線デバイス１４は、ダウンリンクキャリア上でダウンリンク信号を受信するが、ここでは、ダウンリンク信号は、半フレーム毎のＯＦＤＭシンボル期間の決定された数、及び周波数次元におけるＲＢの決定された数で搬送されるＣＲＳを有する（ステップ７０６）。無線デバイス１４は、ダウンリンク信号で搬送されるＣＲＳを使用して、１つ又は複数の動作を実行する（ステップ７０８）。この場合もやはり、１つ又は複数の動作は、時間及び／又は周波数同期、チャネル推定などを含むことができるが、これらに限定されない。ＬＴＥについて、１つ又は複数の動作は、付加的又は代替的に、ダウンリンクキャリアで搬送されるＣＲＳを使用して、１つ又は複数のＲＲＭ測定値の取得を含むことができる。
【００７９】
図１９は、図１８のプロセスに従った、時間次元におけるフレーム毎のＯＦＤＭシンボル期間の決定された数、及び周波数次元におけるＲＢの決定された数でＣＲＳを搬送するダウンリンク信号のＬＴＥフレーム４６の１つの例を示す。この例では、システム帯域幅は、ＮＲＢ＝１５ＲＢ（即ち、３ＭＨｚ）及びＲＭＩＮ＿ＳＹＭ＝７８と定義される。そのようなものとして、半フレーム毎のＣＲＳを搬送するＯＦＤＭシンボル期間の数（ＣＳＹＭ）は６であり、ＣＲＳを搬送するダウンリンクキャリアの周波数次元におけるＲＢの数（ＣＲＢ）は１３に等しい。ゆえに、図１９に示されるように、ＣＲＳは、ＬＴＥのフレーム４６でＣＲＳを搬送する合計１２のＯＦＤＭシンボル期間について、半フレーム毎に６ＯＦＤＭシンボル期間で搬送される（すなわち、ＣＲＳは、半フレーム毎に１．５サブフレームで搬送される）。具体的には、この特定の実施形態では、ＣＲＳは、前半フレームのサブフレームＳＦ０の４つのＯＦＤＭシンボル期間、及びサブフレームＳＦ１の２つのＯＦＤＭシンボル期間で搬送される。同様に、ＣＲＳは、後半フレームのサブフレームＳＦ５の４つのＯＦＤＭシンボル期間、及びサブフレームＳＦ６の２つのＯＦＤＭシンボル期間で搬送される。サブフレームＳＦ０及びＳＦ５は、ＰＳＳ及びＳＳＳを搬送するサブフレームである。さらに、ＣＲＳは、ダウンリンクキャリアの周波数次元における真ん中の１３のＲＢに搬送される。その結果、半フレーム毎の１つのＣＲＳポートを搬送する１ＯＦＤＭシンボル期間×１ＲＢユニットの数は７８であり、この例で７８であるＲＭＩＮ＿ＳＹＭに等しい。
【００８０】
図１９はまた、ＲＢ４８と呼ばれる、４つのＯＦＤＭシンボル期間のＣＲＳを搬送するＲＢのうちの１つも示す。図示されたように、ＲＢ４８は、アンテナポート０の従来の位置にＣＲＳを搬送する。同様に、ＬＴＥフレーム４６の４つのＯＦＤＭシンボル期間でＣＲＳを搬送する他のＲＢは、アンテナポート０の従来の位置でＣＲＳを搬送する。対照的に、図１９は、ＲＢ５０と呼ばれる、４つの可能なＯＦＤＭシンボル期間のうちの２つだけでＣＲＳを搬送するＲＢのうちのいくつかを示している。図示されたように、ＲＢ５０は、アンテナポート０の４つの従来の位置のうちの２つだけにＣＲＳを搬送する。同様に、ＬＴＥフレーム４６の２つのＯＦＤＭシンボル期間でＣＲＳを搬送する他のＲＢは、アンテナポート０の４つの従来の位置のうちの２つだけでＣＲＳを搬送する。
【００８１】
図２０は、本開示の１つの実施形態による、ダウンリンクキャリアのシステム帯域幅を決定するための無線デバイス１４の動作を示すフローチャートである。まず、無線デバイス１４は、基地局１２から基地局のダウンリンクキャリアを介して受信されるダウンリンク信号において、半フレーム毎のＣＲＳを搬送するサブフレームの数を検出する。サブフレームが本実施形態では言及されているが、ＯＦＤＭシンボル期間が代替的に使用されてもよいことに留意されたい。サブフレームの数が検出されると、無線デバイス１４は、ＣＲＳを搬送するサブフレームの数に基づき、ダウンリンクキャリアのシステム帯域幅を決定する（ステップ８０２）。より具体的には、無線デバイス１４は、半フレーム毎のＣＲＳを搬送するサブフレームの数と、ダウンリンクキャリアのシステム帯域幅との間の所定の関係の知識を有する。例えば、無線デバイス１４は、対応するシステム帯域幅にサブフレームの検出数を相関させる参照表を格納することができる。
【００８２】
以下の表１は、サブフレームの検出数とダウンリンクキャリアのシステム帯域幅との間の所定の関係の一例を示す。しかしながら、注目すべきは、表１に示された関係は、１つの例に過ぎず、本開示の範囲を限定するものではない。
2015512577.tif 000019
【００８３】
図２１は、本開示の別の実施形態による、ダウンリンクキャリアのシステム帯域幅を決定するための無線デバイス１４の動作を示すフローチャートである。この実施形態では、ダウンリンクキャリア上で受信されるダウンリンク信号の各フレームで、少なくとも、ＰＳＳ及びＳＳＳを搬送するサブフレームからのオフセットＤにおけるサブフレームもまた、ＣＲＳを搬送する。オフセットＤは、任意の０以上の整数とすることができる。この知識に基づいて、無線デバイス１４はまず、既知の技術を使用して、サブフレームＮにおけるＰＳＳ及びＳＳＳを検出する（ステップ９００）。サブフレームＮがＰＳＳ及びＳＳＳを搬送するので、無線デバイス１４には、サブフレームＮ＋ＤもまたＣＲＳを搬送することが知らされる。このようなものとして、無線デバイス１４は、例えば、１つ又は複数の動作を実行するために、サブフレームＮ＋ＤのＣＲＳを使用する（ステップ９０２）。とりわけ、この時点で、無線デバイス１４は、まだシステム帯域幅を決定していないので、例えば、現在、ＬＴＥについて６ＲＢである最小の可能なシステム帯域幅のＣＲＳを使用することができる。
【００８４】
次に、無線デバイス１４は、ＣＲＳがサブフレームＮ＋Ｄ＋１で検出されるかどうかを判定する（ステップ９０４）。検出されない場合、無線デバイス１４には、ＣＲＳの少なくとも所定の最小数が、半フレーム毎に１つのサブフレームだけに送信されることが知らされている。このようなものとして、この具体的な例では、無線デバイス１４は、システム帯域幅は２５ＲＢであると判定し、したがって、２５ＲＢのシステム帯域幅を使用して同期及びＲＲＭ測定に切り替える（ステップ９０６）。ステップ９０４に戻り、ＣＲＳがサブフレームＮ＋Ｄ＋１で検出された場合、次に無線デバイス１４は、同期及びＲＲＭ測定ためにサブフレームＮ＋Ｄ＋１のＣＲＳを使用する（ステップ９０８）。
【００８５】
次に、無線デバイス１４は、ＣＲＳがサブフレームＮ＋Ｄ＋２で検出されるかどうかを判定する（ステップ９１０）。検出されない場合、無線デバイス１４には、ＣＲＳの少なくとも所定の最小数が、半フレーム毎に２つのサブフレームに送信されることが知らされている。このようなものとして、この具体的な例では、無線デバイス１４は、システム帯域幅は１５ＲＢであると判定し、したがって、１５ＲＢのシステム帯域幅を使用して同期及びＲＲＭ測定に切り替える（ステップ９１２）。ステップ９１０に戻って、ＣＲＳがサブフレームＮ＋Ｄ＋２で検出された場合、無線デバイス１４は、システム帯域幅が６ＲＢであると判定し、したがって、すべてのサブフレーム及びシステム帯域幅のすべてを使用して、同期及びＲＲＭ測定に切り替える（ステップ９１４）。図２１のプロセスは、半フレーム毎のＣＲＳを搬送するサブフレームの数が、検出され、システム帯域幅を決定するために使用されることができる方法の例に過ぎないことに留意すべきである。図２１のプロセスに対する多くの変形が、この開示を読めば、当業者には容易に明らかになるだろう。これらの変形は、ＣＲＳを搬送するサブフレームの数とシステム帯域幅との間の相関関係を含むが、これに限定されない。
【００８６】
図２２は、本開示の１つの実施形態による、ダウンリンクキャリア上でダウンリンク信号を送信するための、基地局１２の動作を示すフローチャートである。図示されたように、基地局１２は、ダウンリンクキャリアのシステム帯域幅を決定する（ステップ１０００）。ＬＴＥについて、システム帯域幅は、サブフレーム毎のＲＢペアの数として表すことができる。システム帯域幅は、基地局１２にプログラムすることができる。代替的には、基地局１２は、ダウンリンクキャリアに利用可能な帯域幅をプログラムで決定することができる。例えば、いくつかの実施形態において、基地局１２は、例えば、干渉測定に基づき、ダウンリンクキャリアのシステム帯域幅を決定することができる。さらに別の実施形態では、基地局１２は、例えば、別の基地局、管理ノードなどのような別のネットワークノードから、ダウンリンクキャリアのシステム帯域幅を受信することができる。
【００８７】
システム帯域幅に基づき、基地局１２は、システム帯域幅に基づき、又は別の方法でシステム帯域幅の関数として、フレーム毎の参照シンボルを搬送することになっている時間領域ユニット（例えば、サブフレーム又はＯＦＤＭシンボル期間）の数を決定する（ステップ１００２）。時間領域ユニットの数は、例えば、上記の技術のいずれかを使用して、決定することができる。いくつかの実施形態では、基地局１２はまた、ダウンリンクキャリアのシステム帯域幅に基づき、又は別の方法でダウンリンクキャリアのシステム帯域幅の関数として、参照シンボルを搬送することになっているダウンリンクキャリアの周波数領域の周波数領域ユニットの数（例えば、ＲＢ）も決定する（ステップ１００４）。周波数領域ユニットの数は、例えば、上記の技術のいずれかを使用して、決定することができる。注目すべきは、処理に先立ち、この実施形態では、ステップ１０００〜１００４は、基地局１２によりプログラムで実行され、いくつかの実施形態では、必要に応じて繰り返すことができることである。例として、ステップ１０００〜１００４は、基地局１２がコールドスタートを実行すると、実行され、周期的に又は別の方法で必要に応じて、潜在的に繰り返すことができる。しかしながら、代替的な実施形態では、ステップ１０００〜１００４は、基地局１２の設計及び製造中に実行され、その結果、ダウンリンクキャリアのシステム帯域幅、参照シンボルを搬送するフレーム毎の時間領域ユニットの数、及びいくつかの実施形態では、周波数次元における参照シンボルを搬送する周波数領域ユニットの数は、基地局１２の設計者又は製造者により決定され、基地局１２にハードコードされる。次に、基地局１２は、ダウンリンクキャリア上でダウンリンク信号を受信するが、ここでは、ダウンリンク信号は、フレーム毎に時間領域ユニットの決定された数、及びいくつかの実施形態では、周波数領域ユニットの決定された数で搬送される参照シンボルを有する（ステップ１００６）。
【００８８】
図２３は、本開示の１つの実施形態による、基地局１２のブロック図である。基地局１２は、１つ又は複数のトランシーバーサブシステム５２及び制御サブシステム５４を含む。トランシーバーサブシステム５２のうちの少なくとも１つは、セルラー通信ネットワーク１０において、無線デバイス１４のような、無線デバイスとメッセージを無線で送受信するための、一般的にはアナログコンポーネントを含み、いくつかの実施形態では、そのようなデジタルコンポーネントを含む。具体的な実施形態では、トランシーバーサブシステム５２は、無線周波数（ＲＦ）トランシーバーを表す又は含むことができ、若しくは、そのようなメッセージ及び／又は他の適する情報を、無線デバイス１４などの無線デバイスに無線で送信することができる、ＲＦトランスミッターとレシーバーとを分離することができる。
【００８９】
制御サブシステム５４は、ハードウェア又はハードウェアとソフトウェアとの組み合わせで実装される。一般的に、制御サブシステム５４は、本明細書に記載されるように、帯域幅適応参照信号を有するダウンリンク信号を送信するために、トランシーバーサブシステム５２を介して、潜在的な他の基地局の無線デバイス１４と通信するように動作する。
【００９０】
具体的な実施形態では、制御サブシステム５４は、例えば、本明細書中に記載された基地局１２の機能の一部又はすべてを実行するために、１つ又は複数の汎用又は専用のマイクロプロセッサ、若しくは適切なソフトウェア及び／又はファームウェアでプログラムされた他のマイクロコントローラを含むことができる。加えて又は代替的に、制御サブシステム５４は、本明細書に記載された基地局１２の機能の一部又はすべてを実行するように構成された、各種デジタルハードウェアブロック（例えば、１つ又は複数の特定用途向け集積回路（ＡＳＩＣ）、１つ又は複数の市販のデジタルハードウェアコンポーネント及びアナログハードウェアコンポーネント、若しくはこれらの組み合わせ）を含むことができる。さらに、具体的な実施形態では、基地局１２の上述の機能は、ソフトウェア、又は、ランダムアクセスメモリ（ＲＡＭ）、読み出し専用メモリ（ＲＯＭ）、磁気記憶デバイス、光記憶デバイス、又は他の適切な種類のデータ記憶コンポーネントのような、非一時的なコンピュータ可読媒体に格納された他の命令を実行する制御サブシステム５４により、全体的に又は部分的に、実装することができる。
【００９１】
図２４は、本開示の１つの実施形態による、無線デバイス１４のブロック図である。無線デバイス１４は、１つ又は複数のトランシーバーサブシステム５６、及び制御サブシステム５８を含む。トランシーバーサブシステム５６のうちの少なくとも１つは、セルラー通信ネットワーク１０において、他の無線デバイスとメッセージを無線で送受信するための、一般的にはアナログコンポーネントを含み、いくつかの実施形態では、そのようなデジタルコンポーネントを含む。具体的な実施形態では、トランシーバーサブシステム５６は、ＲＦトランシーバーを表す又は含むことができ、若しくは、そのようなメッセージ及び／又は他の適する情報を、基地局又は他の無線デバイスに無線で送信することができる、ＲＦトランスミッターとレシーバーとを分離することができる。
【００９２】
制御サブシステム５８は、ハードウェア又はハードウェアとソフトウェアとの組み合わせで実装される。一般的に、制御サブシステム５８は、上記の方法で、ダウンリンクキャリア上で基地局１２によって送信される帯域幅適応参照信号を有するダウンリンク信号を、トランシーバーサブシステム５６を介して、受信するように動作する。
【００９３】
具体的な実施形態では、制御サブシステム５８は、例えば、本明細書中に記載された無線デバイス１４の機能の一部又はすべてを実行するために、１つ又は複数の汎用又は専用のマイクロプロセッサ、若しくは適切なソフトウェア及び／又はファームウェアでプログラムされた他のマイクロコントローラを含むことができる。加えて又は代替的に、制御サブシステム５８は、本明細書に記載された無線デバイス１４の機能の一部又はすべてを実行するように構成された、各種デジタルハードウェアブロック（例えば、１つ又は複数のＡＳＩＣ、１つ又は複数の市販のデジタルハードウェアコンポーネント及びアナログハードウェアコンポーネント、若しくはこれらの組み合わせ）を含むことができる。さらに、具体的な実施形態では、無線デバイス１４の上述の機能は、ソフトウェア、又は、ＲＡＭ、ＲＯＭ、磁気記憶デバイス、光記憶デバイス、又は他の適切な種類のデータ記憶コンポーネントのような、非一時的なコンピュータ可読媒体に格納された他の命令を実行する制御サブシステム５８により、全体的に又は部分的に、実装することができる。
【００９４】
以下の略語が、本開示全体で使用されている。
・  ３ＧＰＰ   第３世代パートナーシッププロジェクト
・  ＡＳＩＣ   特定アプリケーション向け集積回路
・  ＣＲＳ     共通参照シンボル
・  ｅＮＢ     拡張ノードＢ
・  ＬＴＥ           ロングタームエボリューション
・  ＭＨｚ     メガヘルツ
・  ｍｓ       ミリ秒
・  ＯＦＤＭ   直交周波数分割多重
・  ＰＢＣＨ   物理ブロードキャストチャネル
・  ＰＳＳ     プライマリ同期シーケンス
・  ＲＡＭ          ランダムアクセスメモリ
・  ＲＢ       リソースブロック
・  ＲＥ       リソースエレメント
・  ＲＦ       無線周波数
・  ＲＯＭ     読み取り専用メモリ
・  ＲＲＭ     無線リソース管理
・  ＣＲＳ     参照シンボル
・  ＳＩＢ     システム情報ブロック
・  ＰＳＳ     セカンダリ同期シーケンス
・  ＵＥ       ユーザ機器
【００９５】
当業者は、本開示の好ましい実施形態に対する改良および修正を認識するだろう。このような全ての改良および修正は、本明細書に開示された概念及び添付の特許請求の範囲の範囲内であると考えられる。
【図１】
2015512577.tif 000021
【図２】
2015512577.tif 000022
【図３】
2015512577.tif 000023
【図４】
2015512577.tif 000024
【図５】
2015512577.tif 000025
【図６】
2015512577.tif 000026
【図７】
2015512577.tif 000027
【図８】
2015512577.tif 000028
【図９】
2015512577.tif 000029
【図１０】
2015512577.tif 000030
【図１１】
2015512577.tif 000031
【図１２】
2015512577.tif 000032
【図１３】
2015512577.tif 000033
【図１４】
2015512577.tif 000034
【図１５】
2015512577.tif 000035
【図１６】
2015512577.tif 000036
【図１７】
2015512577.tif 000037
【図１８】
2015512577.tif 000038
【図１９】
2015512577.tif 000039
【図２０】
2015512577.tif 000040
【図２１】
2015512577.tif 000041
【図２２】
2015512577.tif 000042
【図２３】
2015512577.tif 000043
【図２４】
2015512577.tif 000044
【手続補正書】
【提出日】平成26年1月23日(2014.1.23)
【手続補正１】
【補正対象書類名】明細書
【補正対象項目名】０００１
【補正方法】変更
【補正の内容】
【０００１】
関連出願
この出願は、２０１２年３月２３日出願の仮特許出願整理番号６１／６１４，８５６の利益を主張する。
【手続補正２】
【補正対象書類名】特許請求の範囲
【補正対象項目名】全文
【補正方法】変更
【補正の内容】
【特許請求の範囲】
【請求項１】
セルラー通信ネットワーク（１０）における無線デバイス（１４）の動作の方法であって、
参照シンボルを搬送するダウンリンク信号中のフレーム毎の時間領域ユニットの数が、前記ダウンリンクキャリアのシステム帯域幅の関数である基地局（１２）から、前記ダウンリンクキャリア上でダウンリンク信号を受信すること（１０６、２０６、３０６、４０６、５０８、６１０、７０６）、及び
１つ又は複数の所望の特性を提供するために、前記ダウンリンク信号の前記参照シンボルを処理すること（１０８、２０８、３０８、４０８、５１０、６１２、７０８）
を含む、方法。
【請求項２】
参照シンボルを搬送する前記ダウンリンク信号のフレーム毎の時間領域ユニット前記の数は、参照シンボルを搬送するフレーム毎のサブフレームの数である、請求項１に記載の方法。
【請求項３】
参照シンボルを搬送する前記ダウンリンク信号中のフレーム毎の時間領域ユニットの前記数は、参照シンボルを搬送するフレーム毎のシンボル期間の数である、請求項１に記載の方法。
【請求項４】
参照シンボルを搬送する前記ダウンリンク信号中のフレーム毎の時間領域ユニットの前記数は、前記ダウンリンク信号が、フレーム毎の参照シンボルの少なくとも所定の最小数を含むように、前記システム帯域幅及びフレーム毎の参照シンボルの所定の最小数の関数である、請求項１に記載の方法。
【請求項５】
前記ダウンリンク信号は、前記ダウンリンクキャリアの前記システム帯域幅全体にわたり参照シンボルを含む、請求項１に記載の方法。
【請求項６】
前記ダウンリンク信号は、前記ダウンリンク信号の時間次元における複数のサブフレーム、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、
参照シンボルを搬送する前記ダウンリンク信号中のフレーム毎の時間領域ユニットの前記数は、参照シンボルを搬送するフレーム毎のサブフレーム数であり、並びに
前記ダウンリンク信号は、参照シンボルを搬送する前記周波数次元におけるリソースブロックの数がまた、前記システム帯域幅の関数となるものである、請求項１に記載の方法。
【請求項７】
前記ダウンリンク信号は、前記ダウンリンク信号の時間次元における複数のシンボル期間、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、
参照シンボルを搬送する前記ダウンリンク信号中のフレーム毎の時間領域ユニットの前記数は、参照シンボルを搬送するフレーム毎のシンボル期間の数であり、並びに
前記ダウンリンク信号は、参照シンボルを搬送する前記周波数次元におけるリソースブロックの数がまた、前記システム帯域幅の関数となるものである、請求項１に記載の方法。
【請求項８】
参照シンボルを搬送する周波数領域ユニットの数はまた、前記ダウンリンクキャリアの前記システム帯域幅の関数である、請求項１に記載の方法。
【請求項９】
前記ダウンリンク信号は、前記ダウンリンク信号の時間次元における複数のサブフレーム、及び前記ダウンリンクシグナルの周波数次元における複数のリソースブロックを備えるフレームを備え、ここで、前記ダウンリンク信号の前記周波数次元における前記複数のリソースブロックは、前記ダウンリンクキャリアの前記システム帯域幅を定義し、並びに
参照シンボルを搬送する前記ダウンリンク信号中のフレーム毎の時間領域ユニットの前記数は、ＲＭＩＮが、参照シンボルを搬送するために必要とされる半フレーム毎のリソースブロックペアの所定の最小数であり、ＮＲＢが、リソースブロックの数として表される前記ダウンリンクキャリアの前記システム帯域幅である場合に、２倍のｃｅｉｌ（ＲＭＩＮ／ＮＲＢ）と定義される参照シンボルを搬送する前記ダウンリンク信号中のフレーム毎のサブフレームの数である、請求項１に記載の方法。
【請求項１０】
参照シンボルを搬送する前記周波数次元におけるリソースブロックの数はまた、前記ダウンリンクキャリアの前記システム帯域幅の関数であり、ｍｉｎ（ＮＲＢ、ＲＭＩＮ）と定義される、請求項９に記載の方法。
【請求項１１】
参照シンボルを搬送する前記周波数次元におけるリソースブロックの数は、前記ダウンリンクキャリアの前記システム帯域幅のリソースブロックの数に等しい、請求項９に記載の方法。
【請求項１２】
参照シンボルを搬送する前記周波数次元におけるリソースブロックの数はまた、前記ダウンリンクキャリアの前記システム帯域幅の関数であり、ＣＳＦが、参照シンボルを搬送する前記ダウンリンク信号中のフレーム毎のサブフレームの数の半分である場合に、ｃｅｉｌ（ＲＭＩＮ／ＣＳＦ）と定義される、請求項９に記載の方法。
【請求項１３】
前記ダウンリンク信号は、前記ダウンリンク信号の時間次元における複数のサブフレーム、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、各リソースブロックは、複数の送信ポートのための参照シンボル位置を含み、
参照シンボルを搬送する前記ダウンリンク信号中のフレーム毎の時間領域ユニットの前記数は、参照シンボルを搬送する前記ダウンリンク信号におけるフレーム毎のサブフレームの数が、前記ダウンリンクキャリアの前記システム帯域幅の関数である場合に、参照シンボルを搬送する前記ダウンリンク信号中のフレーム毎のサブフレームの数であり、並びに
参照シンボルを搬送する前記複数の送信ポートの数はまた、前記ダウンリンクキャリアの前記システム帯域幅の関数である、請求項１に記載の方法。
【請求項１４】
前記複数の送信ポートのうちの同数が、参照シンボルを搬送するフレーム毎のサブフレームの前記数のうちの各々で参照シンボルを搬送する、請求項１３に記載の方法。
【請求項１５】
参照シンボルを搬送する前記複数の送信ポートの数は、ＲＭＩＮが、参照シンボルを搬送することになっている半フレーム毎のリソースブロックペアの所定の最小数であり、ＮＲＢが、リソースブロックの数として表される前記ダウンリンクキャリアの前記システム帯域幅である場合に、ｍｉｎ（２，ｃｅｉｌ（ＲＭＩＮ／ＮＲＢ））と定義される、請求項１４に記載の方法。
【請求項１６】
参照シンボルを搬送する前記ダウンリンク信号中のフレーム毎のサブフレームの前記数は、ＣＰＯＲＴＳが、参照シンボルを搬送する前記複数の送信ポートの前記数である場合に、２倍のｃｅｉｌ（ＲＭＩＮ／（ＮＲＢｘＣＰＯＲＴＳ））と定義される、請求項１５に記載の方法。
【請求項１７】
参照シンボルを搬送する前記周波数次元におけるリソースブロックの数はまた、前記ダウンリンクキャリアの前記システム帯域幅の関数であり、及び
ＮＲＢが、リソースブロックの数として表される前記ダウンリンクキャリアの前記システム帯域幅であり、ＲＭＩＮが、参照シンボルを搬送することになっている半フレーム毎のリソースブロックペアの所定の最小数であり、かつＣＰＯＲＴＳが、参照シンボルを搬送する前記複数の送信ポートの前記数である場合に、
2015512577.tif 000045
と定義される、請求項１６に記載の方法。
【請求項１８】
参照シンボルを搬送するフレーム毎のサブフレームの前記数のうちの１つの中の参照シンボルを搬送する前記複数の送信ポートの前記数は、参照シンボルを搬送するフレーム毎のサブフレームの前記数のうちの異なる１つの中の参照シンボルを搬送する前記複数の送信ポートの前記数とは異なる、請求項１３に記載の方法。
【請求項１９】
参照シンボルを搬送する前記複数の送信ポートの前記数は、ＲＭＩＮが、参照シンボルを搬送することになっている半フレーム毎のリソースブロックペアの所定の最小数であり、ＮＲＢが、リソースブロックの数として表される前記ダウンリンクキャリアの前記システム帯域幅である場合に、ｍｉｎ（２，ｃｅｉｌ（ＲＭＩＮ／ＮＲＢ））と定義される、請求項１８に記載の方法。
【請求項２０】
前記複数の送信ポートのうちの第１の送信ポートの中の参照シンボルを搬送する前記ダウンリンク信号のフレーム毎のサブフレームの前記数は、ＣＰＯＲＴＳが、参照シンボルを搬送する前記複数の送信ポートの前記数である場合に、２倍のｃｅｉｌ（ＲＭＩＮ／（ＮＲＢｘＣＰＯＲＴＳ））と定義され、及び
前記複数の送信ポートの第２の送信ポートの中の参照シンボルを搬送する前記ダウンリンク信号中のフレーム毎のサブフレームの前記数は、２倍のｆｌｏｏｒ（ＲＭＩＮ／（ＮＲＢｘＣＰＯＲＴＳ））と定義される、請求項１９に記載の方法。
【請求項２１】
参照シンボルを搬送する前記周波数次元におけるリソースブロックの数はまた、前記ダウンリンクキャリアの前記システム帯域幅の関数であり、
ＮＲＢが、リソースブロックの数として表される前記ダウンリンクキャリアの前記システム帯域幅である場合に、
ＣＲＢ  ＝  ＮＲＢ
と定義される、請求項２０に記載の方法。
【請求項２２】
前記ダウンリンク信号は、前記ダウンリンク信号の時間次元における複数のシンボル期間、及び前記ダウンリンク信号の周波数次元における複数のリソースブロックを含むフレームを含み、ここで、前記ダウンリンク信号の前記周波数次元における前記複数のリソースブロックは、前記ダウンリンクキャリアの前記システム帯域幅を定義し、並びに
参照シンボルを搬送する前記ダウンリンク信号中のフレーム毎の時間領域ユニットの前記数は、ＲＭＩＮ＿ＳＹＭが、参照シンボルを搬送するために必要とされる半フレーム毎の１シンボル期間ユニットによる１リソースブロックの所定の最小数であり、ＮＲＢが、リソースブロックの数として表される前記ダウンリンクキャリアの前記システム帯域幅である場合に、２倍のｃｅｉｌ（ＲＭＩＮ＿ＳＹＭ／ＮＲＢ）と定義される参照シンボルを搬送する前記ダウンリンク信号中のフレーム毎のシンボル期間の数である、請求項１に記載の方法。
【請求項２３】
参照シンボルを搬送する前記周波数次元におけるリソースブロックの数はまた、前記ダウンリンクキャリアの前記システム帯域幅の関数であり、ＣＳＹＭが、参照信号を搬送する前記ダウンリンク信号中の半フレーム毎の時間領域ユニットの前記数である場合に、ｃｅｉｌ（ＲＭＩＮ＿ＳＹＭ／ＣＳＹＭ）と定義される、請求項２２に記載の方法。
【請求項２４】
前記ダウンリンクキャリアの前記システム帯域幅を決定すること、及び
参照シンボルを搬送する前記ダウンリンク信号中のフレーム毎の時間領域ユニットの数を、前記システム帯域幅の関数として決定すること、
をさらに含む、請求項１に記載の方法。
【請求項２５】
前記システム帯域幅を決定することは、前記システム帯域幅のインジケータを、前記セルラー通信ネットワークにおける前記基地局からシグナリングを介して受信することを含む、請求項２４に記載の方法。
【請求項２６】
前記システム帯域幅を決定することは、
サブフレームＮ＋Ｄが参照シンボルを搬送するよう知らされている場合に、サブフレームＮのプライマリ同期信号を検出すること、
参照シンボルが、サブフレームＮ＋Ｄ＋１で搬送されるかどうかを決定すること、
参照シンボルが前記サブフレームＮ＋Ｄ＋１で搬送されないと決定することに応答して、前記システム帯域幅が、第１の所定値であると決定すること、
参照シンボルが前記サブフレームＮ＋Ｄ＋１で搬送されると決定することに応答して、参照シンボルが、サブフレームＮ＋Ｄ＋２で搬送されるかどうかを決定すること、及び
参照シンボルがサブフレームＮ＋Ｄ＋２で搬送されないと決定することに応答して、前記システム帯域幅が、前記第１の所定値未満である第２の所定値であると決定すること
を含む、請求項２４に記載の方法。
【請求項２７】
参照シンボルが前記サブフレームＮ＋Ｄ＋２で搬送されると決定することに応答して、前記システム帯域幅が、前記第１及び第２の所定値未満である第３の所定値であると決定することをさらに含む、請求項２６に記載の方法。
【請求項２８】
参照シンボルを搬送する時間領域ユニット毎の周波数領域ユニットの数を、前記システム帯域幅の関数として決定することをさらに含む、請求項２４に記載の方法。
【請求項２９】
セルラー通信ネットワーク（１０）における動作のための無線デバイス（１４）であって、
参照シンボルを搬送する前記ダウンリンク信号中のフレーム毎の時間領域ユニットの数が、前記ダウンリンクキャリアのシステム帯域幅の関数である基地局（１２）から、ダウンリンクキャリア上でダウンリンク信号を受信するように構成されたトランシーバーサブシステム（５６）、及び
１つ又は複数の所望の特性を提供するために、前記ダウンリンク信号の前記参照シンボルを処理するように構成された制御サブシステム（５８）
を備える、無線デバイス（１４）。
【請求項３０】
セルラー通信ネットワーク（１０）における基地局（１２）の動作の方法であって、
参照シンボルを搬送する前記ダウンリンク信号中のフレーム毎の時間領域ユニットの数が、前記ダウンリンクキャリアのシステム帯域幅の関数であるダウンリンクキャリア上でダウンリンク信号を送信すること（１００６）を含む、方法。
【請求項３１】
前記ダウンリンクキャリアの前記システム帯域幅を決定すること（１０００）をさらに含む、請求項３０に記載の方法。
【請求項３２】
セルラー通信ネットワーク（１０）における基地局（１２）であって、
制御サブシステム（５４）、及び
前記制御サブシステム（５４）に関連付けられ、参照シンボルを搬送する前記ダウンリンク信号中のフレーム毎の時間領域ユニットの数が、前記ダウンリンクキャリアのシステム帯域幅の関数であるダウンリンクキャリア上でダウンリンク信号を送信するように構成された、トランシーバーサブシステム（５２）
を備える、基地局（１２）。
【請求項３３】
前記制御サブシステム（５４）は、前記ダウンリンクキャリアの前記システム帯域幅を決定するように構成される、請求項３２に記載の基地局。
【国際調査報告】
2015512577.tif 000046
2015512577.tif 000047